(57)【要約】開示の実施形態は全体としてプライマリセルの変更に関する。ネットワークデバイスは、端末デバイスについてのプライマリセル変更に対して、レイヤ２コンテキストが保持されるか及び／又は１つ以上のサービングセカンダリセルが残るかを検出する。その後、ネットワークデバイスは、当該検出に基づいて、プライマリセル変更を示すメッセージを設定し、当該メッセージを端末デバイスへ送信する。プライマリセル変更の期間を効率的に低減でき、プライマリセル変更の間のデータ送信を最適化できる。
2019523594.tif 000002
【特許請求の範囲】
【請求項１】
ネットワークデバイスにおいて実行される方法（200, 300）であって、
端末デバイスについてのプライマリセル変更に対して、レイヤ２コンテキストが保持されるか及び／又は１つ以上のサービングセカンダリセルが残るかを検出すること（210）と、
前記検出に基づいて、前記プライマリセル変更を示すメッセージを設定すること（220）と、
前記メッセージを前記端末デバイスへ送信すること（230）と、
を含む方法。
【請求項２】
請求項１に記載の方法であって、
端末デバイスについてのプライマリセル変更に対してレイヤ２コンテキストが保持されるかを検出することは、第１のプライマリセルと比べて、第２のプライマリセルに対応する前記レイヤ２コンテキストの一部又は全部が同じものを保持するかを検出することであり、及び／又は
端末デバイスについてのプライマリセル変更に対して１つ以上のサービングセカンダリセルが残るかを検出することは、前記第２のプライマリセルのインデックスが、第１のセカンダリセル群の１つのセカンダリセルと同一であるかを検出することであり、
前記端末デバイスは、前記第１のプライマリセル及び前記第１のセカンダリセル群によるサービスを受けており、前記プライマリセル変更の後に、前記第２のプライマリセル及び第２のセカンダリセル群によるサービスを受ける、方法。
【請求項３】
請求項２に記載の方法であって、更に、
レイヤ２コンテキストの全部は保持されないことが検出されたことに応じて、
新たなセキュリティキーの導出を前記端末デバイスに要求するためのセキュリティ情報エレメントを少なくとも含めることによって前記メッセージを設定すること（330）を含む、方法。
【請求項４】
請求項２に記載の方法であって、更に、
前記第１のプライマリセルと比べて、前記第２のプライマリセルに対応する、ＰＤＣＰエンティティを除く前記レイヤ２コンテキストの全部は保持されないことが検出されたことに応じて、
ＲＬＣ／ＭＡＣエンティティの再設定をトリガするための情報エレメントを少なくとも含めることによって前記メッセージを設定すること（350）を含む、方法。
【請求項５】
請求項２に記載の方法であって、更に、
レイヤ２コンテキストの全部が保持され、かつ、前記第２のプライマリセルの前記インデックスが、前記第１のセカンダリセル群のいずれのセカンダリセルとも同一ではないことが検出されたことに応じて、
前記第２のプライマリセル及び前記第２のセカンダリセル群のＩＤ情報を少なくとも含めることによって前記メッセージを設定すること（370）を含む、方法。
【請求項６】
請求項２に記載の方法であって、更に、
前記第２のプライマリセルの前記インデックスが、前記第１のセカンダリセル群のいずれかのセカンダリセルと同一であることが検出されたことに応じて、
前記第２のプライマリセルのＩＤ情報を少なくとも含めることによって前記メッセージを設定すること（380）を含む、方法。
【請求項７】
請求項１から６のいずれか１項に記載の方法であって、
前記メッセージは、ＭＡＣメッセージ又はＲＲＣメッセージで送信される、方法。
【請求項８】
請求項７に記載の方法であって、
前記ＭＡＣメッセージは、論理チャネルＩＤによって識別されるＭＡＣ制御エレメントを含む、方法。
【請求項９】
請求項７に記載の方法であって、
前記ＭＡＣメッセージは、第２のプライマリセルのインデックスを示すＭＡＣ制御エレメントを含む、方法。
【請求項１０】
請求項８又は９に記載の方法であって、
前記制御エレメントは、前記ＭＡＣ制御エレメントの送信に対応するコンポーネントセルの１つからＨＡＲＱ ＡＣＫを受信するまで当該ＭＡＣ制御エレメントを送信し続ける前記ネットワークデバイスによって制御される、既存の全てのコンポーネントセルを介して送信される、方法。
【請求項１１】
ネットワークデバイス（600）であって、
端末デバイスについてのプライマリセル変更に対して、レイヤ２コンテキストが保持されるか及び／又は１つ以上のサービングセカンダリセルが残るかを検出するように構成された検出ユニット（610）と、
前記検出ユニットによる前記検出に基づいて、プライマリセル変更を示すメッセージを設定するように構成された設定ユニット（620）と、
前記メッセージを前記端末デバイスへ送信するように構成された送信ユニット（630）と、
を備えるネットワークデバイス。
【請求項１２】
請求項１１に記載のネットワークデバイス（600）であって、
前記検出ユニット（610）は更に、第１のプライマリセルと比べて、第２のプライマリセルに対応するレイヤ２コンテキストの一部又は全部が同じものを保持するかを検出するように構成され、及び／又は
前記検出ユニット（610）は更に、前記第２のプライマリセルのインデックスが、第１のセカンダリセル群の１つのセカンダリセルと同一であるかを検出するように構成され、
前記端末デバイスは、前記第１のプライマリセル及び前記第１のセカンダリセル群によるサービスを受けており、前記プライマリセル変更の後に、前記第２のプライマリセル及び第２のセカンダリセル群によるサービスを受ける、ネットワークデバイス。
【請求項１３】
請求項１２に記載のネットワークデバイス（600）であって、
前記設定ユニット（620）は更に、前記レイヤ２コンテキストの全部は保持されないことが検出されたことに応じて、新たなセキュリティキーの導出を前記端末デバイスに要求するためのセキュリティ情報エレメントを少なくとも含めることによって前記メッセージを設定するように構成される、ネットワークデバイス。
【請求項１４】
請求項１２に記載のネットワークデバイス（600）であって、
前記設定ユニット（620）は更に、前記第１のプライマリセルと比べて、前記第２のプライマリセルに対応する、ＰＤＣＰエンティティを除く前記レイヤ２コンテキストの全部は保持されないことが検出されたことに応じて、ＲＬＣ／ＭＡＣエンティティの再設定をトリガするための情報エレメントを少なくとも含めることによって前記メッセージを設定するように構成される、ネットワークデバイス。
【請求項１５】
請求項１２に記載のネットワークデバイスであって、
前記設定ユニット（620）は更に、レイヤ２コンテキストの全部が保持され、かつ、前記第２のプライマリセルの前記インデックスが、前記第１のセカンダリセル群のいずれのセカンダリセルとも同一ではないことが検出されたことに応じて、前記第２のセカンダリセル群のＩＤ情報を少なくとも含めることによって前記メッセージを設定するように構成される、ネットワークデバイス。
【請求項１６】
請求項１２に記載のネットワークデバイス（600）であって、
前記設定ユニット（620）は更に、前記第２のプライマリセルの前記インデックスが、前記第１のセカンダリセル群の１つのセカンダリセルと同一であることが検出されたことに応じて、前記第２のプライマリセルのＩＤ情報を少なくとも含めることによって前記メッセージを設定するように構成される、ネットワークデバイス。
【請求項１７】
端末デバイスにおいて実行される方法（400, 500）であって、
ネットワークデバイスから送信されたメッセージであって、前記端末デバイスについてのプライマリセル変更に対して、レイヤ２コンテキストが保持されるか及び／又は１つ以上のサービングセカンダリセルが残るかを検出することによって設定された前記メッセージを受信すること（410）と、
前記プライマリセル変更の情報を、前記受信されたメッセージから検出すること（420）と、
前記情報に基づいて前記プライマリセル変更を実行すること（430）と、
を含む方法。
【請求項１８】
請求項１７に記載の方法であって、
前記端末デバイスについてのプライマリセル変更に対してレイヤ２コンテキストが保持されるかを検出することは、第１のプライマリセルと比べて、第２のプライマリセルに対応するレイヤ２コンテキストの一部又は全部が同じものを保持するかを検出することであり、及び／又は
端末デバイスについてのプライマリセル変更に対して１つ以上のサービングセカンダリセルが残るかを検出することは、前記第２のプライマリセルのインデックスが、第１のセカンダリセル群の１つのセカンダリセルと同一であるかを検出することであり、又は
前記メッセージに含まれる、前記第２のプライマリセル及び第２のセカンダリセル群のセカンダリセルのうちの１つ以上の前記インデックスは、前記第１のプライマリセル及び第１のセカンダリセル群のセカンダリセルと同一であり、
前記端末デバイスは、前記第１のプライマリセル及び前記第１のセカンダリセル群によるサービスを受けており、前記プライマリセル変更の後に、前記第２のプライマリセル及び前記第２のセカンダリセル群によるサービスを受ける、方法。
【請求項１９】
請求項１８に記載の方法であって、更に、
前記受信されたメッセージに、新たなセキュリティキーの導出のための情報エレメントが含まれることが検出されたことに応じて、
前記受信されたメッセージに従って前記第２のプライマリセルのインデックスを更新すること（530）と、
前記新たなセキュリティキーを導出することと、
ＭＡＣをリセットすることと、
ＰＤＣＰ／ＲＬＣを再確立することと、
前記第２のプライマリセルへのランダムアクセスを開始することと、を含む方法。
【請求項２０】
請求項１８に記載の方法であって、更に、
前記受信されたメッセージに、ＲＬＣ／ＭＡＣの再設定をトリガするための情報エレメントが含まれることが検出されたことに応じて、
前記受信されたメッセージに従って前記第２のプライマリセルのインデックスを更新すること（550）と、
ＭＡＣをリセットすることと、
ＲＬＣを再確立することと、
前記第２のプライマリセルへのランダムアクセスを開始することと、を含む方法。
【請求項２１】
請求項１８に記載の方法であって、更に、
前記受信されたメッセージに、新たなセキュリティキーの導出のための情報エレメントもＲＬＣ／ＭＡＣの再設定をトリガするための情報エレメントも含まれず、かつ、当該メッセージに含まれる、前記第２のプライマリセル及び前記第２のセカンダリセル群のセカンダリセルのいずれの前記インデックスも、前記第１のプライマリセル及び前記第１のセカンダリセル群のセカンダリセルと同一ではないことが検出されたことに応じて、
前記受信されたメッセージに従って前記第２のプライマリセルのインデックスを更新すること（570）と、
前記第２のプライマリセルへのランダムアクセスを開始することと、を含む方法。
【請求項２２】
請求項１８に記載の方法であって、更に、
前記メッセージに含まれる、前記第２のプライマリセル及び前記第２のセカンダリセル群のセカンダリセルのうちの１つ以上の前記インデックスが、前記第１のプライマリセル及び前記第１のセカンダリセル群のセカンダリセルと同一であり、かつ、前記第２のプライマリセルの前記インデックスが、前記第１のセカンダリセル群の前記セカンダリセルのいずれのインデックスとも同一ではないことに応じて、
前記受信されたメッセージに従って前記第２のプライマリセルのインデックスを更新すること（590）と、
前記第２のプライマリセルへのランダムアクセスを開始することと、
前記端末デバイスと前記ネットワークデバイスとの間で、前記第２のセカンダリセル群のいずれか１つのセカンダリセルと同一のインデックスを有する、前記第１のセカンダリセル群のうちの前記１つ以上のセカンダリセル上で、データの送信及び／又は受信を継続することと、を含む方法。
【請求項２３】
請求項１８に記載の方法であって、更に、
前記第２のプライマリセルのインデックスが、前記第１のセカンダリセル群の前記セカンダリセルのいずれか１つと同一であることが検出されたことに応じて、
前記受信されたメッセージに従って前記第２のプライマリセルのインデックスを更新すること（591）と、
前記端末デバイスと前記ネットワークデバイスとの間で、前記第２のプライマリセル及び前記第２のセカンダリセル群のセカンダリセルのいずれか１つと同一のインデックスを有する、前記第１のセカンダリセル群のうちの前記１つ以上のセカンダリセル上で、データの送信及び／又は受信を継続することと、を含む方法。
【請求項２４】
端末デバイス（700）であって、
ネットワークデバイスから送信されたメッセージであって、前記端末デバイスについてのプライマリセル変更に対して、レイヤ２コンテキストが保持されるか及び／又は１つ以上のサービングセカンダリセルが残るかを検出することによって設定された前記メッセージを受信するように構成された受信ユニット（710）と、
前記プライマリセル変更の情報を、前記受信されたメッセージから取得するように構成された取得ユニット（720）と、
前記情報に基づいて前記プライマリセル変更を実行するように構成された実行ユニット（730）と、
を備える端末デバイス。
【請求項２５】
請求項２４に記載の端末デバイス（700）であって、
前記端末デバイスについてのプライマリセル変更に対してレイヤ２コンテキストが保持されるかを検出することは、第１のプライマリセルと比べて、第２のプライマリセルに対応するレイヤ２コンテキストの一部又は全部が同じものを保持するかを検出することであり、
端末デバイスについてのプライマリセル変更に対して１つ以上のサービングセカンダリセルが残るかを検出することは、前記第２のプライマリセルのインデックスが、第１のセカンダリセル群の１つのセカンダリセルと同一であるかを検出することであり、又は 
前記メッセージに含まれる、前記第２のプライマリセル及び第２のセカンダリセル群のセカンダリセルのうちの１つ以上の前記インデックスは、前記第１のプライマリセル及び第１のセカンダリセル群のセカンダリセルと同一であり、
前記端末デバイスは、前記第１のプライマリセル及び前記第１のセカンダリセル群によるサービスを受けており、前記プライマリセル変更の後に、前記第２のプライマリセル及び第２のセカンダリセル群によるサービスを受ける、端末デバイス。
【請求項２６】
請求項２５に記載の端末デバイス（700）であって、
判定ユニット（740）を更に備え、当該判定ユニットは、
前記受信されたメッセージに、新たなセキュリティキーの導出のための情報エレメントが含まれるかを判定する、又は
前記受信されたメッセージに、ＲＬＣ／ＭＡＣエンティティの再設定をトリガするための情報エレメントが含まれるかを判定する、又は
前記メッセージに含まれる、前記第２のプライマリセル及び前記第２のセカンダリセル群のセカンダリセルのうちのいずれかの前記インデックスが、前記第１のプライマリセル及び前記第１のセカンダリセル群のセカンダリセルと同一であるかを判定する、又は
前記メッセージに含まれる、前記第２のプライマリセルの前記インデックスが、前記第１のセカンダリセル群のいずれか１つのインデックスと同一であるかを判定する、ように構成される、端末デバイス。
【請求項２７】
請求項２５に記載の端末デバイス（700）であって、
前記実行ユニット（730）は更に、前記受信されたメッセージが、新たなセキュリティキーの導出のための情報エレメントを含むことが検出されたことに応じて、第２のセキュリティキーを導出し、ＭＡＣをリセットし、ＰＤＣＰ／ＲＬＣを再確立し、前記第２のプライマリセルへのランダムアクセスを開始するように構成される、端末デバイス。
【請求項２８】
請求項２５に記載の端末デバイス（700）であって、
前記実行ユニット（730）は更に、前記受信されたメッセージが、ＲＬＣ／ＭＡＣの再設定をトリガするための情報エレメントを含むことが検出されたことに応じて、前記受信されたメッセージに従って前記第２のプライマリセルのインデックスを更新し、ＭＡＣをリセットし、ＲＬＣを再確立し、前記第２のプライマリセルへのランダムアクセスを開始するように構成される、端末デバイス。
【請求項２９】
請求項２５に記載の端末デバイス（700）であって、
前記実行ユニット（730）は更に、前記受信されたメッセージが、新たなセキュリティキーの導出のための又はＲＬＣ／ＭＡＣの再設定をトリガするための情報エレメントを含んでおらず、当該メッセージに含まれる、前記第２のプライマリセル及び前記第２のセカンダリセル群のいずれの前記インデックスも、前記第１のプライマリセル及び前記第１のセカンダリセル群と同一ではないことに応じて、前記受信されたメッセージに従って前記第２のプライマリセルのインデックスを更新し、前記第２のプライマリセルへのランダムアクセスを開始するように構成される、端末デバイス。
【請求項３０】
請求項２５に記載の端末デバイス（700）であって、
前記実行ユニット（730）は更に、前記メッセージに含まれる、前記第２のプライマリセル及び前記第２のセカンダリセル群のセカンダリセルの１つ以上の前記インデックスが、前記第１のプライマリセル及び前記第１のセカンダリセル群のセカンダリセルと同一であり、前記第２のプライマリセルの前記インデックスが、前記第１のセカンダリセル群のセカンダリセルのいずれのインデックスとも同一ではないことが検出されたことに応じて、前記受信されたメッセージに従って前記第２のプライマリセルのインデックスを更新し、前記第２のプライマリセルへのランダムアクセスを開始し、前記端末デバイスと前記ネットワークデバイスとの間で、前記第２のセカンダリセル群のいずれか１つのセカンダリセルと同一のインデックスを有する、前記第１のセカンダリセル群の１つ以上のセカンダリセル上で、データの送信及び／又は受信を継続するように構成される、端末デバイス。
【請求項３１】
請求項２５に記載の端末デバイス（700）であって、
前記実行ユニット（730）は更に、前記第２のプライマリセルの前記インデックスが、前記第１のセカンダリセル群のいずれか１つのセカンダリセルのインデックスと同一であることが検出されたことに応じて、前記受信されたメッセージに従って前記第２のプライマリセルのインデックスを更新し、前記端末デバイスと前記ネットワークデバイスとの間で、前記第２のプライマリセル及び前記第２のセカンダリセル群のセカンダリセルのうちのいずれか１つと同一のインデックスを有する、前記第１のセカンダリセル群の１つ以上のセカンダリセル上で、データの送信及び／又は受信を継続するように構成される、端末デバイス。
【請求項３２】
ネットワークデバイスであって、
プロセッサ（810）及び記憶媒体（820）を備え、前記記憶媒体は、前記プロセッサ（810）で実行されたときに前記ネットワークデバイスに請求項１から１０のいずれか１項に記載の方法を実行させる命令（840）を含む、ネットワークデバイス。
【請求項３３】
端末デバイスであって、
プロセッサ（810）及び記憶媒体（820）を備え、前記記憶媒体は、前記プロセッサ（810）で実行されたときに前記ネットワークデバイスに請求項１７から２３のいずれか１項に記載の方法を実行させる命令（840）を含む、端末デバイス。
【請求項３４】
コンピュータプログラム製品（840）であって、
コンピュータ読み取り可能記憶媒体（820）に有形に格納され、ネットワークデバイスのプロセッサ（810）で実行されたときに前記ネットワークデバイスに請求項１から１０のいずれか１項に記載の方法を実行させる命令を含む、コンピュータプログラム製品。
【請求項３５】
コンピュータプログラム製品（840）であって、
コンピュータ読み取り可能記憶媒体（820）に有形に格納され、端末デバイスのプロセッサ（810）で実行されたときに前記端末デバイスに請求項１７から２３のいずれか１項に記載の方法を実行させる命令を含む、コンピュータプログラム製品。
【発明の詳細な説明】
【技術分野】
【０００１】
本開示の非限定的かつ一例の実施形態は、無線通信の技術分野に関するものであり、特に、無線通信システムにおけるプライマリセル変更のための方法、デバイス及びコンピュータプログラム、並びに関連する通信デバイスに関するものである。
【背景技術】
【０００２】
このセクションは、本開示のより良い理解を容易にしうる態様を紹介する。このため、このセクションの記述はこの観点で解釈されるべきであり、何が先行技術に含まれるか又は何が先行技術に含まれないかについての自認として理解されるべきではない。
【０００３】
無線通信システムは、良好なサービス品質を提供し、高いデータレートをサポートし、無線データトラヒックの需要の連続的な増加に対応するように進歩している。
【０００４】
マルチキャリアシステムは、単一の通信デバイスによる通信のために１つ以上のキャリアを同時に用いることによって、通信に使用可能な帯域幅を増加させることに使用可能な技術である。マルチキャリアシステムは、下りリンク及び／又は上りリンクにおいて２つ以上のキャリアを使用する。
【０００５】
帯域拡張のために、キャリアアグリゲーション（ＣＡ）がＬＴＥ−Ａシステムに導入され、３ＧＰＰリリース１０で最初に規定され、当該ＣＡによって、より広い帯域の伝送を実現するために２つ以上のコンポーネントキャリアがアグリゲーションされる。ＬＴＥ−Ａ仕様は、連続するコンポーネントキャリア及び非連続のコンポーネントキャリアの両方についてキャリアアグリゲーションをサポートしている。キャリアアグリゲーションは、非連続のコンポーネントキャリアをアグリゲーションすることによって帯域幅を柔軟に増加させる。コンポーネントキャリアは、ＵＬコンポーネントキャリア又は下りリンク（ＤＬ）コンポーネントキャリアとして使用される。現在では、ＣＡはシステム容量及びユーザ装置（ＵＥ）性能を向上させることが可能なＬＴＥの重要な機能である。ＵＥにキャリアアグリゲーションが設定された場合、当該ＵＥは、データレートを増加させるために１つ又は複数のコンポーネントキャリアでデータを受信及び送信できる。ＬＴＥ−Ａシステムでは、ｅＮＢは、ＵＬ及びＤＬアグリゲーション能力にそれぞれ依存する、異なる数のＵＬ及びＤＬコンポーネントキャリアをＵＥに設定することが可能である。
【０００６】
更に、ＵＥに対して設定されたコンポーネントキャリアは、必然的に、１つのＤＬプライマリコンポーネントキャリア（ＰＣＣ）と１つのＵＬプライマリコンポーネントキャリアとで構成される。プライマリコンポーネントキャリア以外のコンポーネントキャリアは、ＤＬ又はＵＬセカンダリコンポーネントキャリアと称される。ＵＬ及びＤＬセカンダリコンポーネントキャリアの数は任意であり、ＵＥの能力及び使用可能な無線リソースに関連する。サービングセルのうちの１つが「プライマリセル」として指定される。プライマリセルではないサービングセルはセカンダリセルと称される。プライマリセルによって提供される機能には、多数の制御プレーン関連イベントに関与することを含み、例えば、ＮＡＳのための必要な情報（例えば、ＴＡＩ）を提供すること、セキュリティのための入力を提供すること、ＲＬＦを判定すること、ハンドオーバを判定するための参照キャリアであること、ＰＵＣＣＨチャネルを搬送するためのキャリアであること等である。
【０００７】
ＰＣＣ上のＵＥとプライマリセルとの間の通信リンクが中断された場合、ＵＥとセカンダリセルとの間の通信リンクが維持されていてもＵＥとネットワークとの間の通信が不能になる。ＵＥとプライマリセルとの間のリンクの重要性を前提として、プライマリセルによって提供される機能を考慮して、無線リンク品質に関連する課題及び他の問題を最小限にするためには、品質に関してプライマリセルが複数のサービングセルのうちの最良のセルであるようにすることが必要である。このため、このような要求条件は、現在のプライマリセルがもはや無線リンク品質が最良のセルではなくなった際にプライマリセルの変更を必要とする。３ＧＰＰリリース１３によれば、プライマリセルは、ハンドオーバ手順によって（即ち、セキュリティキーの変更及びＲＡＣＨ手順によって）のみ変更されうる
【発明の概要】
【０００８】
３ＧＰＰリリース１３の上記の要求条件は、次世代ネットワークについてのプライマリセル変更が行われる間にいくつかの望ましくない効果を生じさせうる。プライマリセルの変更が必要とされる際にはハンドオーバ手順が必要とされ、これは、MobiltyControlInfoを含むRRCConnectionReconfigurationメッセージがＵＥへ送信されることを意味し、それにより、ＰＤＣＰ／ＲＬＣ再確立、ＭＡＣリセット、新たなキーの導出がトリガされ、新たなプライマリコンポーネントキャリアにおいてランダムアクセス手順が実行される。通常、この手順には約４０ｍｓかかり、この期間中、データ伝送は中断される。更には、ＮＲのような次世代ネットワークでは、高い周波数帯域及びビームフォーミングが使用されることに起因して、プライマリセルの変更が、ＬＴＥよりも頻繁に行われる可能性があり、プライマリセルの変更が行われる間の、そのような長期間のデータ中断は望ましくない。
【０００９】
上記の課題の少なくとも一部を解決するために、本開示では方法、デバイス、及びコンピュータプログラムが提供される。本開示の実施形態が、ＮＲネットワークで動作する無線システムに限定されず、同様の課題が存在する任意のアプリケーションシナリオに対してより広く適用可能であることが理解されよう。
【００１０】
本開示の種々の実施形態は主に、例えば共有の周波数帯域における、送信機と受信機との間の伝送を制御するための方法、デバイス及びコンピュータプログラムを提供することを目的としている。送信機及び受信機のそれぞれは、例えば、ネットワークデバイス又は端末デバイスでありうる。本開示の実施形態についての他の特徴及び利点も、本開示の実施形態の原理を例として図示する添付の図面とともに解釈された際に、具体的な実施形態についての以下の説明から理解されよう。
【００１１】
本開示の第１の態様では、ネットワークデバイスにおいて実装される方法が提供される。本方法は、端末デバイスについてのプライマリセル変更に対して、レイヤ２コンテキストが保持されるか及び／又は１つ以上のサービングセカンダリセルが残るかを検出することと、前記検出に基づいて、前記プライマリセル変更を示すメッセージを設定することと、前記メッセージを前記端末デバイスへ送信することと、を含む。
【００１２】
一実施形態において、端末デバイスについてのプライマリセル変更に対してレイヤ２コンテキストが保持されるかを検出することは、第１のプライマリセルと比べて、第２のプライマリセルに対応する前記レイヤ２コンテキストの一部又は全部が同じものを保持するかを検出することであり、及び／又は、端末デバイスについてのプライマリセル変更に対して１つ以上のサービングセカンダリセルが残るかを検出することは、前記第２のプライマリセルのインデックスが、第１のセカンダリセル群の１つのセカンダリセルと同一であるかを検出することであり、前記端末デバイスは、前記第１のプライマリセル及び前記第１のセカンダリセル群によるサービスを受けており、前記プライマリセル変更の後に、前記第２のプライマリセル及び第２のセカンダリセル群によるサービスを受ける。
【００１３】
一実施形態において、本方法は、更に、前記レイヤ２コンテキストの全部は保持されないことが検出されたことに応じて、新たなセキュリティキーの導出を前記端末デバイスに要求するためのセキュリティ情報エレメントを少なくとも含めることによって前記メッセージを設定することを含む。
【００１４】
一実施形態において、本方法は、更に、前記第１のプライマリセルと比べて、前記第２のプライマリセルに対応する、ＰＤＣＰエンティティを除く前記レイヤ２コンテキストの全部は保持されないことが検出されたことに応じて、ＲＬＣ／ＭＡＣエンティティの再設定をトリガするための情報エレメントを少なくとも含めることによって前記メッセージを設定することを含む。
【００１５】
一実施形態において、本方法は、更に、レイヤ２コンテキストの全部が保持され、かつ、前記第２のプライマリセルの前記インデックスが、前記第１のセカンダリセル群のいずれのセカンダリセルとも同一ではないことが検出されたことに応じて、前記第２のセカンダリセル群のＩＤ情報を少なくとも含めることによって前記メッセージを設定することを含む。
【００１６】
一実施形態において、本方法は、更に、前記第２のプライマリセルの前記インデックスが、前記第１のセカンダリセル群の１つのセカンダリセルと同一であることが検出されたことに応じて、前記第２のプライマリセルのＩＤ情報を少なくとも含むように前記メッセージを設定することを含む。
【００１７】
一実施形態において、前記メッセージはＭＡＣメッセージ又はＲＲＣメッセージで送信される
【００１８】
一実施形態において、前記ＭＡＣメッセージは、論理チャネルＩＤによって識別されるＭＡＣ制御エレメントを含む。
【００１９】
一実施形態において、前記ＭＡＣメッセージは、第２のプライマリセルのインデックスを示すＭＡＣ制御エレメントを含む。
【００２０】
一実施形態において、前記制御エレメントは、前記ＭＡＣ制御エレメントの送信に対応するコンポーネントセルの１つからＨＡＲＱ ＡＣＫを受信するまで当該ＭＡＣ制御エレメントを送信し続けるネットワークデバイスによって制御される、既存の全てのコンポーネントセルを介して送信される。
【００２１】
本開示の第２の態様では、ネットワークデバイスが提供される。ネットワークデバイスは、端末デバイスについてのプライマリセル変更に対して、レイヤ２コンテキストが保持されるか及び／又は１つ以上のサービングセカンダリセルが残るかを検出するように構成された検出ユニットと、前記検出ユニットによる前記検出に基づいて、プライマリセル変更を示すメッセージを設定するように構成された設定ユニットと、前記メッセージを前記端末デバイスへ送信するように構成された送信ユニットと、を備える。
【００２２】
本開示の第３の態様では、モバイル端末において実装される方法が提供される。本方法は、ネットワークデバイスから送信されたメッセージであって、前記端末デバイスについてのプライマリセル変更に対して、レイヤ２コンテキストが保持されるか及び／又は１つ以上のサービングセカンダリセルが残るかを検出することによって設定された前記メッセージを受信することと、前記プライマリセル変更の情報を、前記受信されたメッセージから取得することと、前記情報に基づいて前記プライマリセル変更を実行することと、を含む。
【００２３】
一実施形態において、前記端末デバイスについてのプライマリセル変更に対してレイヤ２コンテキストが保持されるかを検出することは、第１のプライマリセルと比べて、第２のプライマリセルに対応するレイヤ２コンテキストの一部又は全部が同じものを保持するかを検出することであり、及び／又は、端末デバイスについてのプライマリセル変更に対して１つ以上のサービングセカンダリセルが残るかを検出することは、前記第２のプライマリセルのインデックスが、第１のセカンダリセル群の１つのセカンダリセルと同一であるかを検出することであり、又は前記メッセージに含まれる、前記第２のプライマリセル及び第２のセカンダリセル群のセカンダリセルのうちの１つ以上の前記インデックス（複数のインデックス）は、前記第１のプライマリセル及び第１のセカンダリセル群のセカンダリセルと同一であり、前記端末デバイスは、前記第１のプライマリセル及び前記第１のセカンダリセル群によるサービスを受けており、前記プライマリセル変更の後に、前記第２のプライマリセル及び第２のセカンダリセル群によるサービスを受ける。
【００２４】
一実施形態において、本方法は、更に、前記受信されたメッセージに、新たなセキュリティキーの導出のための情報エレメントが含まれることが検出されたことに応じて、前記受信されたメッセージに従って前記第２のプライマリセルのインデックスを更新することと、第２のセキュリティキーを導出することと、ＭＡＣをリセットすることと、ＰＤＣＰ／ＲＬＣを再確立することと、前記第２のプライマリセルへのランダムアクセスを開始することと、を含む。
【００２５】
一実施形態において、本方法は、更に、前記受信されたメッセージに、ＲＬＣ／ＭＡＣの再設定をトリガするための情報エレメントが含まれることが検出されたことに応じて、前記受信されたメッセージに従って前記第２のプライマリセルのインデックスを更新することと、ＭＡＣをリセットすることと、ＲＬＣを再確立することと、前記第２のプライマリセルへのランダムアクセスを開始することと、を含む。
【００２６】
一実施形態において、本方法は、更に、前記受信されたメッセージに、新たなセキュリティキーの導出のための情報エレメントもＲＬＣ／ＭＡＣの再設定をトリガするための情報エレメントも含まれず、かつ、当該メッセージに含まれる、前記第２のプライマリセル及び前記第２のセカンダリセル群のセカンダリセルの１つ以上についての前記インデックス（複数のインデックス）が、前記第１のプライマリセル及び前記第１のセカンダリセル群のセカンダリセルのいずれとも同一ではないことが検出されたことに応じて、前記受信されたメッセージに従って前記第２のプライマリセルのインデックスを更新することと、前記第２のプライマリセルへのランダムアクセスを開始することと、を含む。
【００２７】
一実施形態において、前記メッセージに含まれる、前記第２のプライマリセル及び前記第２のセカンダリセル群のセカンダリセルの１つ以上の前記インデックス（複数のインデックス）が、前記第１のプライマリセル及び前記第１のセカンダリセル群のセカンダリセルのいずれかと同一であり、前記第２のプライマリセルの前記インデックスが、前記第１のセカンダリセル群のセカンダリセルのいずれのインデックスとも同一ではないことが検出されたことに応じて、前記受信されたメッセージに従って前記第２のプライマリセルのインデックスを更新することと、前記第２のプライマリセルへのランダムアクセスを開始することと、前記端末デバイスと前記ネットワークデバイスとの間で、前記第２のセカンダリセル群のいずれか１つのセカンダリセルと同一のインデックス（複数のインデックス）を有する、前記第１のセカンダリセル群の１つ以上のセカンダリセル上で、データの送信及び／又は受信を継続することと、を含む。
【００２８】
一実施形態において、本方法は、更に、前記第２のプライマリセルの前記インデックスが、前記第１のセカンダリセル群のいずれか１つのセカンダリセルのインデックスと同一であることが検出されたことに応じて、前記受信されたメッセージに従って前記第２のプライマリセルのインデックスを更新することと、前記端末デバイスと前記ネットワークデバイスとの間で、前記第２のプライマリセル及び前記第２のセカンダリセル群のセカンダリセルのうちのいずれか１つと同一のインデックス（複数のインデックス）を有する、前記第１のセカンダリセル群の１つ以上のセカンダリセル上で、データの送信及び／又は受信を継続することと、を含む。
【００２９】
本開示の第４の態様では、端末デバイスが提供される。端末デバイスは、ネットワークデバイスから送信されたメッセージであって、前記端末デバイスについてのプライマリセル変更に対して、レイヤ２コンテキストが保持されるか及び／又は１つ以上のサービングセカンダリセルが残るかを検出することによって設定された前記メッセージを受信するように構成された受信ユニット７１０と、前記プライマリセル変更の情報を、前記受信されたメッセージから取得するように構成された取得ユニット７２０と、前記情報に基づいて前記プライマリセル変更を実行するように構成された実行ユニット７３０と、を備える。
【００３０】
本開示の第５の態様では、ネットワークデバイスが提供される。ネットワークデバイスは、プロセッサ及び記憶媒体を備え、前記記憶媒体は、前記プロセッサで実行されたときに前記ネットワークデバイスに、端末デバイスについてのプライマリセル変更に対して、レイヤ２コンテキストが保持されるか及び／又は１つ以上のサービングセカンダリセルが残るかを検出することと、前記検出に基づいて、前記プライマリセル変更を示すメッセージを設定することと、前記メッセージを前記端末デバイスへ送信することと、を実行させる命令を含む。
【００３１】
本開示の第６の態様では、端末デバイスが提供される。端末デバイスは、プロセッサ及び記憶媒体を備え、前記記憶媒体は、前記プロセッサで実行されたときに前記端末デバイスに、ネットワークデバイスから送信されたメッセージであって、前記端末デバイスについてのプライマリセル変更に対して、レイヤ２コンテキストが保持されるか及び／又は１つ以上のサービングセカンダリセルが残るかを検出することによって設定された前記メッセージを受信することと、前記プライマリセル変更の情報を、前記受信されたメッセージから取得することと、前記情報に基づいて前記プライマリセル変更を実行することと、を実行させる命令を含む。
【００３２】
本開示の第７の態様では、コンピュータプログラムが提供される。命令は、少なくとも１つのプロセッサで実行されたときに当該少なくとも１つのプロセッサに、本開示の第１の態様に係る方法を実行させる。
【００３３】
本開示の第８の態様では、コンピュータプログラムが提供される。命令は、少なくとも１つのプロセッサで実行されたときに当該少なくとも１つのプロセッサに、本開示の第３の態様に係る方法を実行させる。
【００３４】
上述したような種々の態様及び実施形態によれば、プライマリセルの変更のための期間を低減でき、それにより、プライマリセル変更が行われる間に遅れるか又は中断されるデータ伝送を最適化できる。
【図面の簡単な説明】
【００３５】
本開示の種々の実施形態についての上記の及び他の態様、特徴、及び利点は、例として、添付図面を参照する以下の詳細な説明から、より十分に明らかになり、添付図面では同様の参照番号又は文字が同様の又は等価な要素を指し示すために使用されている。図面は本開示の実施形態についての更なる理解を容易にするために示されており、必ずしもスケーリングして描かれてはない。
【００３６】
【図１】図１は、本開示の実施形態が実装されうる無線通信ネットワーク１００の環境を示す。
【００３７】
【図２】図２は、本開示の実施形態に係る、ネットワークデバイスにおける方法２００のフローチャートを示す。
【００３８】
【図３】図３は、本開示の実施形態に係る、ネットワークデバイスにおける方法３００のフローチャートを示す。
【００３９】
【図４】図４は、本開示の実施形態に係る、端末デバイスにおける方法４００のフローチャートを示す。
【００４０】
【図５】図５は、本開示の実施形態に係る、端末デバイスにおける方法５００のフローチャートを示す。
【００４１】
【図６】図６は、本開示の実施形態に係る、ネットワークデバイス６００のブロック図を示す。
【００４２】
【図７】図７は、本開示の実施形態に係る、端末デバイス７００のブロック図を示す。
【００４３】
【図８】図８は、本開示の実施形態の実装に使用するのに適したデバイスの簡略化されたブロック図８００を示す。
【発明を実施するための形態】
【００４４】
以下ではいくつかの実施形態の例を参照して本開示について説明する。これらの実施形態が、本開示の範囲の何らかの限定を示唆するのではなく、当該分野の当業者による更なる理解を可能にし、それにより本開示を実装することを可能にする目的でのみ説明されていることは理解されるべきである。
【００４５】
本明細書で使用されるように、「無線通信ネットワーク」との用語は、ＬＴＥ−Ａｄｖａｎｃｅｄ（ＬＴＥ−Ａ）、ＬＴＥ、広帯域符号分割多元接続（ＷＣＤＭＡ(登録商標)：Wideband Code Division Multiple Access）、高速パケットアクセス（ＨＳＰＡ：High-Speed Packet Access）等の、任意の適切な通信標準規格に従ったネットワークを示す。更に、無線通信ネットワーク内の端末デバイスとネットワークデバイスとの間の通信は、任意の適切な世代の通信プロトコルに従って行われ、通信プロトコルには、第１世代（１Ｇ）、第２世代（２Ｇ）、２．５世代、２．７５世代、第３世代（３Ｇ）、第４世代（４Ｇ）、４．５Ｇ、将来の第５世代（５Ｇ）の通信プロトコル、及び／又は現在知られているか又は将来開発される任意の他のプロトコルが含まれるが、それらに限定されない。
【００４６】
「ネットワークデバイス」との用語は、無線通信ネットワーク内のデバイスであって、端末デバイスが当該デバイスを介してネットワークにアクセスして当該ネットワークからサービスを受けるデバイスを示す。ネットワークデバイスは、無線通信ネットワーク内の、基地局（ＢＳ）、アクセスポイント（ＡＰ）、モビリティ管理エンティティ（ＭＭＥ：Mobile Management Entity）、マルチセル／マルチキャスト協調エンティティ（ＭＣＥ：Multi-cell/Multicast Coordination Entity）、ゲートウェイ、サーバ、コントローラ、又は他の適切なデバイスを示す。ＢＳは、例えば、ノードＢ（ＮｏｄｅＢ又はＮＢ）、拡張ＮｏｄｅＢ（ｅＮｏｄｅＢ又はｅＮＢ）、リモートラジオユニット（ＲＲＵ：Remote Radio Unit）、中継器、フェムト、ピコ等の低電力ノードでありうる。
【００４７】
「端末デバイス」との用語は、無線通信ネットワークにアクセスして当該ネットワークからサービスを受けることが可能な任意のエンドデバイスを示す。例として、かつ、限定せずに、端末デバイスはモバイル端末、ＵＥ、又は他の適切なデバイスを示す。ＵＥは、例えば、加入者局（ＳＳ：Subscriber Station）、ポータブル加入者局、移動局（ＭＳ：Mobile Station）、アクセスターミナル（ＡＴ）でありうる。端末デバイスには、ポータブルコンピュータ、デジタルカメラ等の撮像端末デバイス、ゲーム端末デバイス、音楽ストレージ及び再生アプライアンス、携帯電話、セルラ電話、スマートフォン、タブレット、ウェアラブルデバイス、パーソナルデジタルアシスタント（ＰＤＡ）、車両、歩行者等が含まれうるが、それらに限定されない。
【００４８】
本明細書で使用されるように、「第１」お及び「第２」との用語は異なる要素を示す。単数形「１つの（a）」及び「１つの（an）」は、それ以外を明らかに示さないかぎり、複数形も同様に含むことが意図されている。本明細書で使用されるように「備える、含む（comprises）」、「備える、含む（comprising）」、「有する（has）」、「有する（having）」、「備える、含む（includes）」及び／又は「備える、含む（including）」との用語は、記述された特徴、要素及び／又はコンポーネント等の存在を特定するが、１つ以上の他の特徴、要素、コンポーネント及び／又はそれらの組み合わせの存在又は追加を除外するものではない。「に基づいて（based on）」との用語は、「に少なくとも部分的に基づいて（based at least in part on）」として解釈されるべきである。「一実施形態」及び「実施形態」との用語は、「少なくとも１つの実施形態」として解釈されるべきである。「他の実施形態」との用語は「少なくとも１つの他の実施形態」と解釈されるべきである。他の定義は明示的及び黙示的に以下に含まれうる。
【００４９】
次に、図面を参照しながら本開示のいくつかの例示的な実施形態について以下で説明する。まず図１を参照すると、本開示の実施形態が実装されうる無線通信ネットワーク１００の環境を示している。図１に示されるように、無線通信ネットワーク１００は、ＢＳ１１０として実装される、キャリアアグリゲーションを用いるネットワークデバイスと、端末デバイス１２０とを含む。ＢＳ１１０は、端末デバイス１２０のサービングノードとして機能する。特に、ＢＳ１１０は、２つのコンポーネントキャリア１７０及び１８０を提供し、端末デバイス１２０は、コンポーネントキャリア１７０及び１８０を介してＢＳ１１０によるサービスを受ける。それに対応して、いくつかのサービングセル、例えば１３０及び１４０が存在し、コンポーネントキャリア１７０及び１８０といったコンポーネントキャリアごとに１つのサービングセルが存在する。端末デバイス１２０は、キャリアアグリゲーションを設定され、ＢＳ１１０からコンポーネントキャリア１７０及びコンポーネントキャリア１８０を受信し、１３０はプライマリセル（Ｐｃｅｌｌ）であり、１４０は、セカンダリセル（Ｓｃｅｌｌ）である。コンポーネントキャリア及びセルの概念は、本開示の説明において互いに置き換え可能でありうる。
【００５０】
無線通信ネットワーク１００は、ＬＴＥ−Ａｄｖａｎｃｅｄ（ＬＴＥ−Ａ）、ＬＴＥ、広帯域符号分割多元接続（ＷＣＤＭＡ(登録商標)：Wideband Code Division Multiple Access）、高速パケットアクセス（ＨＳＰＡ：High-Speed Packet Access）等の、任意の適切な通信標準規格に従いうる。更に、ネットワーク１００内の端末デバイス１２０とＢＳ１１０／１１１との間の通信は、任意の適切な世代の通信プロトコルに従って行われ、通信プロトコルには、第１世代（１Ｇ）、第２世代（２Ｇ）、２．５世代、２．７５世代、第３世代（３Ｇ）、第４世代（４Ｇ）、４．５Ｇ、将来の第５世代（５Ｇ）の通信プロトコル、及び／又は現在知られているか又は将来開発される任意の他のプロトコルが含まれるが、それらに限定されない。
【００５１】
本開示の説明を容易にするために、現在のプライマリセル１３０は、第１のプライマリセルと称されてよく、これは、プライマリセルの変更が完了する前に端末デバイス１２０にサービスを行っているプライマリセルを意味する。新たなプライマリコンポーネントセルは、目標プライマリセル又は第２のプライマリセル１５０と称されよく、これは、プライマリセルの変更が完了した後に端末デバイス１２０にサービスを行うプライマリセルを意味する。第１のプライマリセル１３０は、第１のセカンダリセル群１４０と一緒に端末デバイス１２０にサービスを行う。それに対応して、第２のプライマリセル１５０は、第２のセカンダリセル群１６０と一緒に端末デバイス１２０にサービスを行う。第１のセカンダリセル群又は第２のセカンダリセル群は、１つ以上のセカンダリセルを含んでよく、第１のセカンダリセル群又は第２のセカンダリセル群のセカンダリセルの数は、キャリアアグリゲーションの設定に依存する。
【００５２】
従来、端末デバイス１２０が、現在のプライマリセルコンポーネントセル１３０の品質がが種々の理由に起因して十分に良好ではないことに気付いた場合、又は、他のセル若しくはキャリアの無線品質が、全ての隣接セル若しくはキャリアを測定することによって良くなっていることに気付いた場合、端末デバイス１２０は、ＢＳ１１０へ報告を送信する。端末デバイス１２０からの当該報告の受信に応じて、ＢＳ１１０は、端末デバイス１２０に対する目標又は第２のプライマリセル１５０を、第２のセカンダリセル群１６０とともに決定する。本開示の実施形態において、第２のプライマリセル１５０及び／又は第２のセカンダリセル群１６０の決定は、種々の方法で実装されてよく、これは、従来のものであり、それ故に本明細書では詳細に説明しない。第２のプライマリセル１５０は、図１に示されるように他のＢＳ１１１によって提供されてもよいし、第１のプライマリセル１３０を提供するＢＳ１１０によって同様に提供されてもよい。
【００５３】
従来、ＢＳ１１０は、プライマリセルの変更を示し、かつ、プライマリセルの変更の実行を端末デバイス１２０に指示するメッセージを、端末デバイス１２０へ送信する。処理中に、ハンドオーバ手順が必要とされ、これは、MobiltyControlInfoを含むRRCConnectionReconfigurationメッセージが端末デバイス１２０へ送信されることを意味し、それにより、ＰＤＣＰ／ＲＬＣ再確立、ＭＡＣリセット、新たなキーの導出がトリガされ、第２のプライマリセル１５０へのランダムアクセス手順が実行される。通常、この手順には比較的長い時間（例えば４０ｍｓ）がかかり、この期間中、データ伝送は遅れるか又は中断される。
【００５４】
上記及び他の可能性のある問題を解決するために、本開示の実施形態は、プライマリセルの変更を行う効率的な方法を提供する。本開示の実施形態によれば、端末デバイス１２０からの、第１のプライマリセル１４０及び第２のプライマリセル１５０の１つ以上を含む、全ての隣接セル及びキャリアの品質についての測定報告の受信に応じて、ＢＳ１１０は、第２のプライマリセル１５０及び第２のセカンダリセル群１６０を決定し、端末デバイス１２０についてのプライマリセル変更に対して、レイヤ２コンテキストが保持されるか及び／又は１つ以上のサービングセカンダリセルが残るかを検出し、当該検出に基づいて、プライマリセル変更を示すメッセージを設定し、その後、当該メッセージを端末デバイス１２０へ送信する。レイヤ２コンテキストの全体が保持される場合、ＢＳ１１０は、新たなセキュリティキーの導出を端末デバイス１２０に要求するためのセキュリティ情報エレメントを少なくとも含めることによってメッセージを設定し、当該メッセージを端末デバイス１２０へ送信する。レイヤ２コンテキストの一部（例えばＰＤＣＰエンティティ）が保持される場合、ＢＳ１１０は、ＲＬＣ／ＭＡＣエンティティの再設定をトリガするための情報エレメントを少なくとも含めることによってメッセージを設定し、当該メッセージを端末デバイス１２０へ送信する。レイヤ２コンテキストの全体が保持され、かつ、第２のプライマリセル１５０のインデックスが、第１のセカンダリセル群１４０のいずれのセカンダリセルとも同一ではない場合、ＢＳ１１０は、第２のセカンダリセル群１６０のＩＤ情報を少なくとも含めることによってメッセージを設定し、当該メッセージを端末デバイス１２０へ送信する。第２のプライマリセルのインデックスが、第１のセカンダリセル群の１つのセカンダリセルと同一である場合、ＢＳ１１０は、第２のプライマリセル１５０のＩＤ情報を少なくとも含めることによってメッセージを設定し、当該メッセージを端末デバイス１２０へ送信する。
【００５５】
このように、第１のプライマリセル１３０及び第１のセカンダリセル群１４０を含む第１のセル群と、第２のプライマリセル１５０及び第２のセカンダリセル群１６０を含む第２のセル群との関係を検出し、それに応じて、プライマリセル変更のメッセージを設定することによって、プライマリセル変更を実行する種々の手段を実現でき、それらの中で、いくつかのシナリオにおいてハンドオーバ手順なしでプライマリセル変更を完了できる。その結果、期間を低減し、プライマリセル変更の期間中のデータ伝送を最適化することが可能である。
【００５６】
図１の構成は、本開示の範囲に関していかなる限定も示唆することなく、単に例示の目的で記載されていることが理解されるべきである。無線通信ネットワーク１００が、任意の適切な数の端末デバイス及びＢＳを含みうること及び他の任意の構成を有しうること、並びに各ＢＳが、任意の適切な数のキャリア又はセルを提供しうることが、当業者には理解されよう。
【００５７】
ここで図２を参照すると、本開示の実施形態に係るデバイスにおいて実装されるプライマリセル変更のための方法２００のフローチャートを示している。方法２００を用いると、従来のアプローチにおける上記の及び他の可能性のある欠点を克服できる。ＢＳ１１０又は他の適切なデバイスのようなネットワークデバイスにおいて方法２００が実装されうることが当業者には理解されよう。例示を目的として、以下では無線通信システム１００内のＢＳ１１０に関連して方法２００について説明する。
【００５８】
方法２００は、ブロック２０１に入り、当該ブロックにおいて、端末デバイスについてのプライマリセル変更に対して、レイヤ２コンテキストが保持されるか及び／又は１つ以上のサービングセカンダリセルが残るかが検出される。
【００５９】
本開示の実施形態において、ネットワークデバイス１１０は、端末デバイス１２０についてのプライマリセル変更に対してレイヤ２コンテキストが保持されるかを検出する。レイヤ２コンテキストは、レイヤ２についてのエンティティ、パラメータ、又は他の情報を示し、例えば、ＭＡＣ ＨＡＲＱ状態、ＲＬＣ Ｔｘ／Ｒｘ状態、どのパケットが受信されたか否か、パケットヘッダ圧縮状態、ＱｏＳ状態、ＵＥ優先度等である。レイヤ２コンテキストは、端末デバイス１２０に対して一緒にサービスを行うプライマリセル及びセカンダリセル群を含む、セルのセットに共通している。第１のプライマリセル１３０又は第２のプライマリセル１５０に対応するレイヤ２コンテキストは、第１のプライマリセル１３０及び第１のセカンダリセル群１４０、又は第２のプライマリセル１５０及び第２のセカンダリセル群１６０を含む、端末デバイス１２０にサービスを行っているセルのセットに共通するレイヤ２コンテキストを示す。第１のプライマリセル１３０及び第１のセカンダリセル群１４０に対応するレイヤ２コンテキストは、第２のプライマリセル１５０及び第２のセカンダリセル群１６０に対応するレイヤ２コンテキストと異なり、ｅＮＢの論理構成に依存する。一実施形態において、１つの論理ノードに全てのプロトコルエンティティが実装され、その結果、論理ノードの変更時にＬ２コンテキスト全体が変更されうる。他の実施形態においては、他の論理ノードにＲＬＣ／ＭＡＣが実装される一方で１つの論理ノードにＰＤＣＰが実装されてもよく、その結果、Ｌ２コンテキストの一部のみが変更されうる。レイヤ２コンテキストが保持されることは、レイヤ２コンテキストの一部又は全部が同じものを保持することを含む。端末デバイスについてのプライマリセルセル変更に対してレイヤ２コンテキストが保持されることは、第１のプライマリセル１３０及び第１のセカンダリセル群１４０を含む第１のセルセットに対応するレイヤ２コンテキストの一部又は全部が、第２のプライマリセル１５０及び第２のセカンダリセル群１６０を含む第２のセルセットに対応するものと比べて、同じものを保持することを含みうる。つまり、プライマリセルの変更後にレイヤ２コンテキストが変化するか否かを検出することである。更に他の実施形態では、レイヤ２コンテキストの一部が保持されることは、ＭＡＣ及びＲＬＣについてのコンテキストが変化する一方で、ＰＤＣＰについてのコンテキスト（例えば、ＰＤＣＰエンティティ）が同一のまま又は変更されずに残ることを含んでよく、これは、ｅＮＢ構成が異なる論理ノードに分割され、ＰＤＣＰが１つの論理ノード内にある一方でＲＬＣ／ＭＡＣが別の論理ノード内にある場合に生じ、このため、ＰＤＣＰエンティティが変化しない一方でＲＬＣ／ＭＡＣの全体が変化する可能性がある。
【００６０】
本開示の実施形態において、ネットワークデバイス１１０が、端末デバイスについてのプライマリセル変更に対して１つ以上のサービングセカンダリセルが残るかを検出することは、第１のセルセット内の少なくとも１つのセカンダリセルが、第２のセルセット内の任意のセルと同じであり続けることを含みうる。つまり、端末デバイス１２０にサービスを行っているセカンダリセルの１つ以上が、端末デバイス１２０にサービスを行う第２のセルセット内に残ることである。端末デバイス側から見ると、（複数の）セカンダリセルが、プライマリセル変更の前後で、端末デバイス１２０に対してサービス中であり、かつ、サービスを継続する。ネットワークデバイス１１０は、端末デバイスについてのプライマリセル変更に対して１つ以上のサービングセカンダリセルが残るかを、種々の方法で検出する。実施形態において、ネットワークデバイス１１０は、第１のセルセットに含まれる任意のセカンダリセルのインデックス（複数のインデックス）が、第２のセルセットに含まれる任意のセルのインデックスと同一であるかどうかを検出する。第２のセルセット内に残る（複数の）サービングセカンダリセル１４０は、（複数の）セカンダリセル１６０であってもよいし、プライマリセル変更の完了後に第２のプライマリセル１５０として機能してもよい。
【００６１】
本開示の実施形態において、ネットワークデバイス１１０は、端末デバイス１２０についてのプライマリセル変更に対して、レイヤ２コンテキストが保持されることと、１つ以上のサービングセカンダリセルが残ることとを検出する。ネットワークデバイス１１０は、まず、端末デバイス１２０についてのプライマリセル変更に対してレイヤ２コンテキストが保持されるかどうかを検出し、その後、端末デバイス１２０についてのプライマリセル変更に対して１つ以上のサービングセカンダリセルが残るかどうかを検出してもよい。オプションとして、ネットワークデバイス１１０は、まず、端末デバイス１２０についてのプライマリセル変更に対して１つ以上のサービングセカンダリセルが残るかどうかを検出し、その後、端末デバイス１２０についてのプライマリセル変更に対してレイヤ２コンテキストが保持されるかどうかを検出してもよい。
【００６２】
ブロック２２０において、ネットワークデバイス１１０は、検出に基づいてプライマリセル変更のメッセージを設定する。いくつかの実施形態において、レイヤ２コンテキストの全部が保持されていないこと、又は、レイヤ２コンテキストの全てが変更されたことが検出された場合、ネットワークデバイス１１０は、新たなセキュリティキーの導出を端末デバイス１２０に要求するためのセキュリティ情報エレメントを少なくとも含めることによって、メッセージを設定する。このシナリオでは、プライマリセル変更を実行するために必要な他の情報又はパラメータもメッセージに含められ、例えば、第２のプライマリセル１５０及び第２のセカンダリセル群１６０のＩＤ情報、第２のプライマリセル１５０についての設定、新たな物理レイヤパラメータ設定、新たなＭＡＣ／ＲＬＣ／ＰＤＣＰ設定、新たなＤＲＢ設定等が含められる。第２のプライマリセル１５０に対応する、ＰＤＣＰエンティティを除くレイヤ２コンテキストの全部が、第１のプライマリセル１３０と比べて保持されていない場合、ネットワークデバイス１１０は、ＲＬＣ／ＭＡＣエンティティの再設定をトリガするための情報エレメントを少なくとも含めることによって、メッセージを設定する。即ち、ＭＡＣ又はＲＬＣ等の他のレイヤ２コンテキストが変更された一方でＰＤＣＰエンティティのみが変更されていないことが検出された場合、ネットワークデバイス１１０は、ＲＬＣ／ＭＡＣエンティティの再設定をトリガするための情報エレメントを少なくとも含めることによって、メッセージを設定し、このため、新たなセキュリティキーの導出を端末デバイス１２０に要求するためのセキュリティ情報エレメントはメッセージに含まれない。このシナリオでは、プライマリセル変更を実行するために必要な他の情報又はパラメータもメッセージに含められ、例えば、第２のプライマリセル１５０及び第２のセカンダリセル群１６０のＩＤ情報、第２のプライマリセル１５０についての設定、新たな物理レイヤパラメータ設定、新たなＭＡＣ／ＲＬＣ設定等が含められる。レイヤ２コンテキストの全部が保持されており、かつ、第２のプライマリセルのインデックスが、第１のセカンダリセル群１４０のいずれのセカンダリセルとも同一ではない場合、ネットワークデバイス１１０は、第２のプライマリセル１５０及び第２のセカンダリセル群１６０のＩＤ情報を少なくとも含めることによって、メッセージを設定する。このシナリオにおいて、プライマリセル変更を実行するために必要な他の情報又はパラメータもメッセージに含められ、例えば、新たな物理レイヤパラメータ設定及び第２のプライマリセル１５０についての設定も含められる。第２のプライマリセル１３０のインデックスが、第１のセカンダリセル群１４０の１つのセカンダリセルと同一であることが検出された場合、ネットワークデバイス１１０は、第２のプライマリセル１５０のＩＤ情報を少なくとも含めることによって、メッセージを設定する。このシナリオにおいて、プライマリセル変更を実行するために必要な他の情報又はパラメータもメッセージに含められ、例えば、第２のセカンダリセル群１６０のＩＤ情報も含められ、このシナリオにおいて第２のプライマリセル１５０についての設定はメッセージに含まれなくてよい。上述の実施形態のいくつかにおいては、設定されたメッセージに基づいて、ハンドオーバ手順のプロセスが必要とされなくなり、それにより、プライマリセル変更のプロセスの期間が低減されるとともに当該期間中のデータ伝送が最適化されうる。
【００６３】
いくつかの実施形態において、メッセージは、ＭＡＣメッセージ若しくはＲＲＣ接続再設定（Connection Reconfiguration）メッセージのような無線リソース制御（ＲＲＣ）メッセージ、又は他の任意の適切なメッセージでありうる。ＭＡＣメッセージは、論理チャネルＩＤによって識別されるＭＡＣ制御エレメントを含みうる。あるいは、ＭＡＣメッセージは、第２のプライマリセル１５０のインデックスを示すＭＡＣ制御エレメントを含みうる。ある実施形態において、第２のプライマリセルのインデックスが、第１のセカンダリセル群の１つのセカンダリセルと同一である場合、メッセージはＭＡＣメッセージによって構成されてもよく、ＲＲＣ手順が他のシナリオのために使用されてもよい。ＭＡＣメッセージを用いるシナリオについては、第２のプライマリセル１５０のインデックスを端末デバイス１２０に通知するために使用される、新たなＭＡＣ ＣＥ（制御エレメント）が規定される。新たなＭＡＣ ＣＥは、論理チャネルＩＤによって識別される。
【００６４】
ブロック２３０において、ネットワークデバイス１１０は、プライマリセル変更を示し、かつ、端末デバイス１２０にプライマリセル変更の実行を指示する、設定されたメッセージを、端末デバイス１２０へ送信する。いくつかの実施形態において、当該メッセージは、ネットワークデバイス１１０によって制御される既存の全てのコンポーネントセルを介して送信され、当該ネットワークデバイスは、ＭＡＣ制御エレメントを、当該ＭＡＣ制御エレメントの送信に対応するコンポーネントセルの１つからＨＡＲＱ ＡＣＫを受信するまで送信し続ける。
【００６５】
ここで図３に関していくつかの実施形態の例について説明する。図３は、本開示の実施形態に係るネットワークデバイスにおいて実装されるプライマリセル変更のための方法３００のフローチャートを示している。方法３００は、図３を参照して上述した方法２００の具体的な実装と考えられうる。しかし、これは本開示の原理の例示のみを目的としたものであり、本開示の範囲の限定を目的とはしていない。
【００６６】
方法３００は、ブロック３１０に入り、当該ブロックにおいて、ＢＳ１１０は、端末デバイス１２０に対する第２のプライマリセル１５０を決定する。
【００６７】
ブロック３２０において、ネットワークデバイス１１０は、プライマリセル変更に対してレイヤ２コンテキストの全部が保持されるかを検出する。レイヤ２コンテキストの全部は保持されないことが検出された場合、ネットワークデバイス１１０は、新たなセキュリティキーの導出を端末デバイス１２０に要求するためのセキュリティ情報エレメントを少なくとも含めることによって、メッセージを設定する。プライマリセル変更に対してレイヤ２コンテキストの全部又は全ては変化しないことが検出された場合、方法３００はブロック３４０に進み、ネットワークデバイス１１０は、プライマリセル変更に対してＰＤＣＰエンティティが同じであり続けるかを検出する。ＰＤＣＰエンティティがプライマリセル変更に対して同じであり続けるがＭＡＣ／ＲＬＣエンティティが変化する場合、ネットワークデバイス１１０は、ＲＬＣ／ＭＡＣエンティティの再設定をトリガするための情報エレメントを少なくとも含めることによって、メッセージを設定する。プライマリセル変更に対してレイヤ２コンテキストの全部が同じであり続ける場合、方法３００はブロック３６０に進み、ネットワークデバイス１１０は、第２のプライマリセル１５０のインデックスが、第１のセカンダリセル群１４０の１つのセカンダリセルと同じであるかを検出する。第２のプライマリセル１５０のインデックスが、第１のセカンダリセル群１４０の１つのセカンダリセルと同一ではないことが検出された場合、ネットワークデバイス１１０は、第２のセカンダリセル群１６０のＩＤ情報を少なくとも含めることによって、メッセージを設定する。第２のプライマリセル１５０のインデックスが、第１のセカンダリセル群１４０の１つのセカンダリセルと同一であることが検出された場合、ネットワークデバイス１１０は、第２のプライマリセル１５０のＩＤ情報を少なくとも含めることによって、メッセージを設定する。
【００６８】
このように、第１のセルセットと第２のセルセットとの間の検出された関係に基づく種々のシナリオが、別々に扱われうる。これは、プライマリセル変更を実行する期間の低減と、処理中のデータ伝送の最適化とに有用である。
【００６９】
図４は、本開示の実施形態に係る端末デバイスにおいて実装されるプライマリセル変更のための方法４００のフローチャートを示している。方法４００を用いると、従来のアプローチにおける上記の及び他の可能性のある欠点を克服できる。端末デバイス１２０又は他の適切なデバイスのようなデバイスによって方法４００が実装されうることが当業者には理解されよう。例示を目的として、以下では無線通信システム１００内の端末デバイス１２０に関連して方法４００について説明する。
【００７０】
方法４００はブロック４１０に入り、当該ブロックにおいて、プライマリセル変更のメッセージがネットワークデバイスから受信される。当該メッセージは、例えばＢＳ１１０であるネットワークデバイスによって、第１のセルセット及び第２のセルセットの検出に基づいて設定されている。メッセージの設定は、上述のように方法２００又は方法３００に従って実装されうるため、ここではその詳細を繰り返し説明しない。
【００７１】
ブロック４２０において、端末デバイス１２０は、ネットワークデバイス１１０から送信された受信メッセージから、プライマリセル変更の情報を検出する。本開示のいくつかの実施形態において、当該メッセージは、新たなセキュリティキーの導出のための情報エレメント、ＲＬＣ／ＭＡＣの再設定をトリガするための情報エレメント、第２のセカンダリセル群のＩＤ情報、第２のプライマリセルのＩＤ情報、第２のプライマリセルについての設定、新たな物理レイヤパラメータ設定、新たなＭＡＣ／ＲＬＣ／ＰＤＣＰ設定、新たなＤＲＢ設定、及びプライマリセル変更のために必要な他の情報、を含みうる。
【００７２】
ブロック４３０において、受信メッセージが新たなセキュリティキーの導出のための情報エレメントを含むことが検出された場合、端末デバイス１２０は、新たなセキュリティキーを導出し、受信メッセージに従って第２のプライマリセルのインデックスを更新し、ＭＡＣをリセットし、ＰＤＣＰ／ＲＬＣを再確立し、第２のプライマリセル１５０との同期を得るために第２のプライマリセルへのランダムアクセスを開始する。このシナリオでは、標準規格のハンドオーバ手順が続くが、その詳細については説明の簡略化のために省略する。セキュリティキーはレイヤ２コンテキストに対応し、レイヤ２コンテキストの全部が変化する場合、当該セキュリティキーが変化しうるとともに、新たなセキュリティキーが必要となりうる。レイヤ２コンテキストの一部又は全部が同じであり続ける場合、セキュリティキーは同じであり続けうる。例えば、ＭＡＣ及びＲＬＣが変化する一方でＰＤＣＰが変化しない場合、プライマリセル変更を実行するために端末デバイス１２０において新たなセキュリティキーを生成する必要はない。
【００７３】
受信メッセージがＲＬＣ／ＭＡＣの再設定をトリガするための情報エレメントを含むが、新たなセキュリティキーの導出のための情報エレメントは含まないことが検出された場合、端末デバイス１２０は、受信メッセージに従って第２のプライマリセルのインデックスを更新し、ＭＡＣをリセットし、ＲＬＣを再確立し、第２のプライマリセル１５０との同期を得るためにランダムアクセスを開始する。このシナリオでは、新たなセキュリティキーを導出する必要がないため、プライマリセル変更を実行するための時間が低減されうる。
【００７４】
受信メッセージが、新たなセキュリティキーの導出のための情報エレメントも、ＲＬＣ／ＭＡＣの再設定をトリガするための情報エレメントも含まず、当該メッセージに含まれる第２のプライマリセル１５０及び第２のセカンダリセル群１６０内のセカンダリセルを含む第２のセルセットのいずれのインデックスも、第１のプライマリセル１３０及び第１のセカンダリセル群１４０内のセカンダリセルを含む第１のセルセットのインデックスと同一ではないことが検出された場合には、端末デバイス１２０は、受信メッセージに従って第２のプライマリセルのインデックスを更新し、第２のプライマリセル１５０へのランダムアクセスを開始する。実施形態において、端末デバイス１２０は、まず、受信メッセージに、新たなセキュリティキーの導出のための情報エレメントが含まれるかを検出し、含まれない場合には、受信メッセージに、ＲＬＣ／ＭＡＣの再設定をトリガするための情報エレメントが含まれるかを検出し、含まれない場合には、当該メッセージに含まれる第２のプライマリセル１５０及び第２のセカンダリセル群１６０内のセカンダリセルのいずれかのインデックスが、第１のプライマリセル１３０及び第１のセカンダリセル群１４０内のセカンダリセルと同一であるかを検出する。他の実施形態において、端末デバイス１２０は、まず、受信メッセージに、ＲＬＣ／ＭＡＣの再設定をトリガするための情報エレメントが含まれるかを検出し、含まれない場合には、受信メッセージに、新たなセキュリティキーの導出のための情報エレメントが含まれるかを検出し、含まれない場合には、当該メッセージに含まれる第２のプライマリセル１５０及び第２のセカンダリセル群１６０内のセカンダリセルのいずれかのインデックスが、第１のプライマリセル１３０及び第１のセカンダリセル群１４０内のセカンダリセルと同一であるかを検出する。他の実施形態において、端末デバイス１２０は、まず、メッセージに含まれる第２のプライマリセル１５０及び第２のセカンダリセル群１６０内のセカンダリセルのいずれかのインデックスが、第１のプライマリセル１３０及び第１のセカンダリセル群１４０内のセカンダリセルと同一であるかを検出し、同一ではない場合には、受信メッセージに、新たなセキュリティキーの導出のための情報エレメントが含まれるかを検出し、含まれない場合には、受信メッセージに、ＲＬＣ／ＭＡＣの再設定をトリガするための情報エレメントが含まれるかを検出する。更に他の実施形態において、端末デバイス１２０は、まず、メッセージに含まれる第２のプライマリセル１５０及び第２のセカンダリセル群１６０内のセカンダリセルのいずれかのインデックスが、第１のプライマリセル１３０及び第１のセカンダリセル群１４０内のセカンダリセルと同一であるかを検出し、同一ではない場合には、受信メッセージに、受信メッセージに、ＲＬＣ／ＭＡＣの再設定をトリガするための情報エレメントが含まれるかを検出し、含まれない場合には、新たなセキュリティキーの導出のための情報エレメントが含まれるかを検出する。このシナリオでは、ＭＡＣのリセット、ＲＬＣの再設定、又は新たなセキュリティキーの導出を端末デバイス１２０において行う必要がないため、プライマリセル変更を実行するための時間が実質的に低減されうる。
【００７５】
メッセージに含まれる第２のプライマリセル１５０及び第２のセカンダリセル群１６０内のセカンダリセルの１つ以上のインデックス（複数のインデックス）が、第１のプライマリセル１３０及び第１のセカンダリセル群１４０内のセカンダリセルと同一である一方で、第２のプライマリセル１５０のインデックスが、第１のセカンダリセル群１４０内のセカンダリセルのいずれのインデックスとも同一ではないことが検出された場合には、プライマリセル変更が行われる期間中に、端末デバイス１２０とネットワークデバイス１１０との間で、インデックス（複数のインデックス）が第２のセカンダリセル群１６０のうちの任意の１つのセカンダリセルと同一である、第１のセカンダリセル群１４０の１つ以上のセカンダリセル上で、データの送信及び／又は受信が継続している間に、端末デバイス１２０は、受信メッセージに従って第２のプライマリセルのインデックスを更新し、第２のプライマリセル１５０との同期を得るためにランダムアクセスを開始する。このシナリオでは、プライマリセル変更を行う間に端末デバイス１２０においてＭＡＣのリセット、ＲＬＣの再確立及び新たなセキュリティキーの導出を行う必要がなく、一方で、セカンダリセルの１つ以上がプライマリセル変更の前後で残るか維持されるため、それ故に、端末デバイス１２０とネットワークデバイス１１０との間のデータの送信及び／又は受信を、当該セカンダリセルの１つ以上を介して維持することができ、このため、プライマリセル変更を行うための期間を低減でき、端末デバイス１２０とネットワークデバイス１１０との間のデータの送信及び／又は受信が、遅れることも中断されることもなくなり、ユーザエクスペリエンスを大幅に改善できる。
【００７６】
第２のプライマリセル１５０のインデックスが、第１のセカンダリセル群１４０内のセカンダリセルのいずれか１つのインデックスと同一であることが検出された場合、端末デバイス１２０は、受信メッセージに従って第２のプライマリセルのインデックスを更新し、端末デバイス１２０とネットワークデバイス１１０との間で、インデックスが第２のプライマリセル１５０及び第２のセカンダリセル群１６０のうちの任意の１つのセカンダリセルと同一である、第１のセカンダリセル群１４０の１つ以上のセカンダリセル上で、データの送信及び／又は受信を維持できる。このシナリオでは、プライマリセル変更を行う間に端末デバイス１２０においてＭＡＣのリセット、ＲＬＣの再確立、新たなセキュリティキーの導出、第２のプライマリセル１５０との同期を得るためのランダムアクセスの開始を行う必要がなく、一方で、セカンダリセルの１つ以上がプライマリセル変更の前後で残るか維持されるため、それ故に、端末デバイス１２０とネットワークデバイス１１０との間のデータの送信及び／又は受信を、当該セカンダリセルの１つ以上を介して維持することができ、このため、プライマリセル変更を行うための期間を大幅に低減でき、端末デバイスとネットワークデバイスとの間のデータの送信及び／又は受信が中断されることもなくなり、ユーザエクスペリエンスを大いに改善できる。
【００７７】
ここで図５に関していくつかの実施形態の例について説明する。図５は、本開示の実施形態に係る端末デバイスにおいて実装されるプライマリセル変更のための方法５００のフローチャートを示している。方法５００は、図４を参照して上述した方法４００の具体的な実装と考えられうる。しかし、これは本開示の原理の例示のみを目的としたものであり、本開示の範囲の限定を目的とはしていない。
【００７８】
方法５００は、ブロック５１０に入り、当該ブロックにおいて、端末デバイス１２０は、ネットワークデバイス１１０から送信されたメッセージを受信する。当該メッセージは、プライマリセル変更を示す情報を含む。
【００７９】
ブロック５２０において、端末デバイス１２０は、受信メッセージに、新たなセキュリティキーの導出のための情報エレメントが含まれるかを検出し、当該受信メッセージに、新たなセキュリティキーの導出のための情報エレメントが含まれることが検出された場合、端末デバイス１２０は、プライマリセル変更のための標準のハンドオーバ手順を実行する。受信メッセージに、新たなセキュリティキーの導出のための情報エレメントが含まれていないことが検出された場合、方法５００はブロック５４０に進み、端末デバイス１２０は、当該受信メッセージに、ＲＬＣ／ＭＡＣの再設定をトリガするための情報エレメントが含まれるかを検出する。受信メッセージに、ＲＬＣ／ＭＡＣの再設定をトリガするための情報エレメントが含まれることが検出された場合、端末デバイス１２０は、当該受信メッセージに従って第２のプライマリセルのインデックスを更新し、ＭＡＣをリセットし、ＲＬＣを再確立し、第２のプライマリセル１５０との同期を得るためにランダムアクセスを開始する。受信メッセージに、ＲＬＣ／ＭＡＣの再設定をトリガするための情報エレメントが含まれていないことが検出された場合、方法５００はブロック５６０に進み、端末デバイス１２０は、当該メッセージに含まれる、第２のプライマリセル１５０及び第２のセカンダリセル群１６０のセカンダリセルのいずれかのインデックス（複数のインデックス）が、第１のプライマリセル１３０及び第１のセカンダリセル群１４０のセカンダリセルと同一であるかを検出する。メッセージに含まれる、第２のプライマリセル１５０及び第２のセカンダリセル群１６０のセカンダリセルのいずれのインデックス（複数のインデックス）も、第１のプライマリセル１３０及び第１のセカンダリセル群１４０のセカンダリセルと同一ではないことが検出された場合、端末デバイス１２０は、受信メッセージに従って第２のプライマリセルのインデックスを更新し、第２のプライマリセル１５０との同期を得るためにランダムアクセスを開始する。メッセージに含まれる、第２のプライマリセル１５０及び第２のセカンダリセル群１６０のセカンダリセルのいずれかのインデックス（複数のインデックス）が、第１のプライマリセル１３０及び第１のセカンダリセル群１４０のセカンダリセルと同一であることが検出された場合、方法５００はブロック５８０に進み、端末デバイス１２０は、第２のプライマリセル１５０のインデックスが、第１のセカンダリセル群１４０のいずれか１つのセカンダリセルと同一であるかを検出する。第２のプライマリセル１５０のインデックスが、第１のセカンダリセル群１４０のセカンダリセルのいずれとも同一ではないことが検出された場合、端末デバイス１２０は、受信メッセージに従って第２のプライマリセルのインデックスを更新し、第２のプライマリセル１５０との同期を得るためにランダムアクセスを開始し、端末デバイス１２０とネットワークデバイス１１０との間で、第２のセカンダリセル群１６０のうちのいずれか１つのセカンダリセルと同一のインデックスを有する、第１のセカンダリセル群１４０の１つ以上のセカンダリセル上で、データの送信及び／又は受信が継続する。第２のプライマリセル１５０のインデックスが、第１のセカンダリセル群１４０のセカンダリセルのいずれか１つと同一であることが検出された場合、端末デバイス１２０は、受信メッセージに従って第２のプライマリセルのインデックスを更新し、端末デバイス１２０とネットワークデバイス１１０との間で、第２のプライマリセル１５０及び第２のセカンダリセル群１６０のうちのいずれか１つと同一のインデックスを有する、第１のセカンダリセル群１４０の１つ以上のセカンダリセル上で、データの送信及び／又は受信が継続する。
【００８０】
このように、第１のセルセットと第２のセルセットとの間の検出された関係に基づく種々のシナリオが、別々に扱われうる。これは、プライマリセル変更を実行する期間の低減と、処理中のデータ伝送の最適化とに有用である。
【００８１】
次に、本開示の実施形態に係る、ネットワークデバイス６００のブロック図を示す図６を参照する。図１に示されるようなＢＳ１１０等のネットワークデバイス、サーバ、ココントローラ又は他の適切なデバイスにおいてデバイス６００が実装されうることが当業者には理解されよう。
【００８２】
図示されるように、ネットワークデバイス６００は、検出ユニット６１０、設定ユニット６２０、及び送信ユニット６３０を備える。検出ユニット６１０は、端末デバイスについてのプライマリセル変更に対して、レイヤ２コンテキストが保持されるか及び／又は１つ以上のサービングセカンダリセルが残るかを検出するように構成される。設定ユニット６２０は、検出ユニット６１０による検出に基づいて、プライマリセル変更を示すメッセージを設定するように構成される。送信ユニット６３０は、当該メッセージを端末デバイス１２０へ送信するように構成される。
【００８３】
ある実施形態において、設定ユニット６２０は更に、レイヤ２コンテキストの全部は保持されないことが検出されたことに応じて、新たなセキュリティキーの導出を端末デバイス１２０に要求するための情報エレメントを少なくとも含めることによってメッセージを設定するように構成される。
【００８４】
ある実施形態において、設定ユニット６２０は更に、第１のプライマリセル１３０と比べて、第２のプライマリセル１５０に対応する、ＰＤＣＰエンティティを除くレイヤ２コンテキストの全部は保持されないことが検出されたことに応じて、ＲＬＣ／ＭＡＣエンティティの再設定をトリガするための情報エレメントを少なくとも含めることによってメッセージを設定するように構成される。
【００８５】
ある実施形態において、設定ユニット６２０は更に、レイヤ２コンテキストの全部が保持され、第２のプライマリセル１５０のインデックスが、第１のセカンダリセル群１４０のいずれのセカンダリセルとも同一ではないことが検出されたことに応じて、第２のセカンダリセル群１６０のＩＤ情報を少なくとも含めることによってメッセージを設定するように構成される。
【００８６】
ある実施形態において、設定ユニット６２０は更に、第２のプライマリセル１５０のインデックスが、第１のセカンダリセル群１４０の１つのセカンダリセルと同一であることが検出されたことに応じて、第２のプライマリセル１５０のＩＤ情報を少なくとも含めることによってメッセージを設定するように構成される。
【００８７】
次に、本開示の実施形態に係る、端末デバイスに実装される装置７００のブロック図を示す図７を参照する。端末デバイス又は他の適切なデバイスに装置７００が実装されうることが当業者には理解されよう。
【００８８】
図示されるように、装置７００は、受信ユニット７１０、取得ユニット７２０、及び実行ユニット７３０を備える。受信ユニット７１０は、ネットワークデバイスから送信されたメッセージであって、端末デバイス１２０についてのプライマリセル変更に対して、レイヤ２コンテキストが保持されるか及び／又は１つ以上のサービングセカンダリセルが残るかを検出することによって設定されたメッセージを受信するように構成される。取得ユニット７２０は、プライマリセル変更の情報を、受信されたメッセージから取得するように構成される。実行ユニット７３０は、当該情報に基づいてプライマリセル変更を実行するように構成される。
【００８９】
ある実施形態において、端末デバイス１２０は判定ユニット７２０を更に備えうる。判定ユニット７４０は、受信されたメッセージに、新たなセキュリティキーの導出のための情報エレメントが含まれるかを判定するか、又は、受信されたメッセージに、ＲＬＣ／ＭＡＣエンティティの再設定をトリガするための情報エレメントが含まれるかを判定するか、又は、メッセージに含まれる、第２のプライマリセル１５０及び第２のセカンダリセル群１６０いずれか１つのインデックス（複数のインデックス）が、第１のプライマリセル１３０及び第１のセカンダリセル群１４０と同一であるかを判定するか、又は、メッセージに含まれる、第２のプライマリセル１５０のインデックスが、第１のセカンダリセル群１４０のいずれか１つのインデックスと同一であるかを判定する、ように構成される。
【００９０】
ある実施形態において、実行ユニット７３０は更に、受信されたメッセージに、新たなセキュリティキーの導出のための情報エレメントが含まれることが検出されたことに応じて、第２のセキュリティキーを導出し、ＭＡＣをリセットし、ＰＤＣＰ／ＲＬＣを再確立し、第２のプライマリセル１５０との同期を得るためにランダムアクセスを開始するように構成される。
【００９１】
ある実施形態において、実行ユニット７３０は更に、受信されたメッセージに、ＲＬＣ／ＭＡＣの再設定をトリガするための情報エレメントが含まれるが新たなセキュリティキーの導出のための情報エレメントは含まれていないことが検出されたことに応じて、受信されたメッセージに従って第２のプライマリセルのインデックスを更新し、ＭＡＣをリセットし、ＲＬＣを再確立し、第２のプライマリセル１５０との同期を得るためにランダムアクセスを開始するように構成される。
【００９２】
ある実施形態において、実行ユニット７３０は更に、受信されたメッセージに、新たなセキュリティキーの導出のための又はＲＬＣ／ＭＡＣの再設定をトリガするための情報エレメントが含まれておらず、当該メッセージに含まれる、第２のプライマリセル１５０及び第２のセカンダリセル群１６０のいずれのインデックス（複数のインデックス）も、第１のプライマリセル１３０及び第１のセカンダリセル群１４０と同一ではないことに応じて、受信されたメッセージに従って第２のプライマリセルのインデックスを更新し、第２のプライマリセル１５０との同期を得るためにランダムアクセスを開始するように構成される。
【００９３】
ある実施形態において、実行ユニット７３０は更に、受信されたメッセージに、新たなセキュリティキーの導出のための又はＲＬＣ／ＭＡＣの再設定をトリガするための情報エレメントが含まれておらず、メッセージに含まれる、第２のプライマリセル１５０及び第２のセカンダリセル群１６０のセカンダリセルの１つ以上についてのインデックス（複数のインデックス）が、第１のプライマリセル１３０及び第１のセカンダリセル群１４０のセカンダリセルと同一であり、第２のプライマリセル１５０のインデックスが、第１のセカンダリセル群１４０のセカンダリセルのいずれのインデックスとも同一ではないことが検出されたことに応じて、受信されたメッセージに従って第２のプライマリセルのインデックスを更新し、第２のプライマリセル１５０との同期を得るためにランダムアクセスを開始し、端末デバイス１２０とネットワークデバイス１１０との間で、第２のセカンダリセル群１６０のいずれか１つのセカンダリセルと同一のインデックス（複数のインデックス）を有する、第１のセカンダリセル群１４０の１つ以上のセカンダリセル上で、データの送信及び／又は受信を継続するように構成される。
【００９４】
ある実施形態において、実行ユニット７３０は更に、受信されたメッセージに、新たなセキュリティキーの導出のための又はＲＬＣ／ＭＡＣの再設定をトリガするための情報エレメントが含まれておらず、第２のプライマリセル１５０のインデックスが、第１のセカンダリセル群１４０のいずれか１つのセカンダリセルのインデックスと同一であることが検出されたことに応じて、受信されたメッセージに従って第２のプライマリセルのインデックスを更新し、端末デバイス１２０とネットワークデバイス１１０との間で、第２のプライマリセル１５０及び第２のセカンダリセル群１６０のセカンダリセルのうちのいずれか１つと同一のインデックス（複数のインデックス）を有する、第１のセカンダリセル群１４０の１つ以上のセカンダリセル上で、データの送信及び／又は受信を継続するように構成される。
【００９５】
装置６００に含まれるコンポーネントが、方法２００及び３００の動作に対応し、装置７００に含まれるコンポーネントが、方法４００及び５００の動作に対応することが、理解されるべきである。したがって、図２及び図３を参照して上述した全ての動作及び特徴は、装置６００に含まれるコンポーネントに同様に適用可能であり、かつ、同様の効果を有し、図４及び図５を参照して上述した全ての動作及び特徴は、装置７００に含まれるコンポーネントに同様に適用可能であり、かつ、同様の効果を有する。簡潔化のため詳細については省略する。
【００９６】
装置６００及び７００に含まれるコンポーネントは、ソフトウェア、ハードウェア、ファームウェア、又はそれらの任意の組み合わせを含む、種々の方法で実装されうる。一実施形態において、１つ以上のユニットは、ソフトウェア及び／又はファームウェア、例えば、記憶媒体に格納された機械実行可能な命令を用いて実装されうる。機械実行可能命令に加えて又は代えて、装置６００及び７００に含まれるコンポーネントの一部又は全てが、１つ以上のハードウェアロジックコンポーネントによって少なくとも部分的に実装されてもよい。例えば、限定することなく、使用可能なハードウェアロジックコンポーネントの典型的なタイプには、フィールドプログラマブルロジックデバイス（ＦＰＧＡ：Field-programmable Gate Array）、特定用途向け集積回路（ＡＳＩＣ：Application-specific Integrated Circuit）、特定用途向け汎用品（ＡＳＳＰ：Application-specific Standard Product）、システムオンチップ・システム（ＳＯＣ：System-on-a-chip system）、コンプレックスプログラマブルロジックデバイス（ＣＰＬＤ：Complex Programmable Logic Device）等が含まれる。
【００９７】
本開示の実施形態によれば、ネットワークデバイスに実装される装置が提供される。装置は、端末デバイスについてのプライマリセル変更に対して、レイヤ２コンテキストが保持されるか及び／又は１つ以上のサービングセカンダリセルが残るかを検出する手段と、当該検出に基づいて、プライマリセル変更を示すメッセージを設定する手段と、当該メッセージを端末デバイスへ送信する手段と、を備える。
【００９８】
ある実施形態において、検出に基づいて、プライマリセル変更を示すメッセージを設定する手段は、レイヤ２コンテキストの全部は保持されないことが検出されたことに応じて、新たなセキュリティキーの導出を端末デバイスに要求するための情報エレメントを少なくとも含めることによってメッセージを設定する手段を含みうる。
【００９９】
ある実施形態において、検出に基づいて、プライマリセル変更を示すメッセージを設定する手段は、第１のプライマリセルと比べて、第２のプライマリセルに対応する、ＰＤＣＰエンティティを除くレイヤ２コンテキストの全部は保持されないことが検出されたことに応じて、ＲＬＣ／ＭＡＣエンティティの再設定をトリガするための情報エレメントを少なくとも含めることによってメッセージを設定する手段を含みうる。
【０１００】
ある実施形態において、検出に基づいて、プライマリセル変更を示すメッセージを設定する手段は、レイヤ２コンテキストの全部が保持され、かつ、第２のプライマリセルのインデックスが、第１のセカンダリセル群のいずれのセカンダリセルとも同一ではないことが検出されたことに応じて、第２のセカンダリセル群のＩＤ情報を少なくとも含めることによってメッセージを設定する手段を含みうる。
【０１０１】
ある実施形態において、検出に基づいて、プライマリセル変更を示すメッセージを設定する手段は、第２のプライマリセルのインデックスが、第１のセカンダリセル群の１つのセカンダリセルと同一であることが検出されたことに応じて、第２のプライマリセルのＩＤ情報を少なくとも含むようにメッセージを設定する手段を含みうる。
【０１０２】
本開示の実施形態によれば、端末デバイスに実装される装置が提供される。装置は、ネットワークデバイスから送信されたメッセージであって、端末デバイスについてのプライマリセル変更に対して、レイヤ２コンテキストが保持されるか及び／又は１つ以上のサービングセカンダリセルが残るかを検出することによって設定されたメッセージを受信する手段と、プライマリセル変更の情報を、受信されたメッセージから取得すると、当該情報に基づいてプライマリセル変更を実行する手段と、を備える。
【０１０３】
ある実施形態において、端末デバイスは、受信されたメッセージに、新たなセキュリティキーの導出のための情報エレメントが含まれるかを判定するか、又は、受信されたメッセージに、ＲＬＣ／ＭＡＣエンティティの再設定をトリガするための情報エレメントが含まれるかを判定するか、又は、メッセージに含まれる、第２のプライマリセル及び第２のセカンダリセル群いずれかのインデックス（複数のインデックス）が、第１のプライマリセル及び第１のセカンダリセル群と同一であるかを判定するか、又は、メッセージに含まれる、第２のプライマリセルのインデックスが、第１のセカンダリセル群のいずれか１つのインデックスと同一であるかを判定する手段を更に備える。
【０１０４】
ある実施形態において、情報に基づいてプライマリセル変更を実行する手段は、受信されたメッセージに、新たなセキュリティキーの導出のための情報エレメントが含まれることが検出されたことに応じて、第２のセキュリティキーを導出し、ＭＡＣをリセットし、ＰＤＣＰ／ＲＬＣを再確立し、第２のプライマリセルへのランダムアクセスを開始する手段を含む。
【０１０５】
ある実施形態において、情報に基づいてプライマリセル変更を実行する手段は、受信されたメッセージに、ＲＬＣ／ＭＡＣの再設定をトリガするための情報エレメントが含まれることが検出されたことに応じて、受信されたメッセージに従って第２のプライマリセルのインデックスを更新し、ＭＡＣをリセットし、ＲＬＣを再確立し、第２のプライマリセルへのランダムアクセスを開始する手段を含む。
【０１０６】
ある実施形態において、情報に基づいてプライマリセル変更を実行する手段は、受信されたメッセージに、新たなセキュリティキーの導出のための又はＲＬＣ／ＭＡＣの再設定をトリガするための情報エレメントが含まれておらず、当該メッセージに含まれる、第２のプライマリセル及び第２のセカンダリセル群のいずれのインデックス（複数のインデックス）も、第１のプライマリセル及び第１のセカンダリセル群と同一ではないことに応じて、受信されたメッセージに従って第２のプライマリセルのインデックスを更新し、第２のプライマリセルへのランダムアクセスを開始する手段を含む。
【０１０７】
ある実施形態において、情報に基づいてプライマリセル変更を実行する手段は、メッセージに含まれる、第２のプライマリセル及び前記第２のセカンダリセル群のセカンダリセルの１つ以上のインデックス（複数のインデックス）が、第１のプライマリセル及び第１のセカンダリセル群のセカンダリセルと同一であり、第２のプライマリセルのインデックスが、第１のセカンダリセル群のセカンダリセルのいずれのインデックスとも同一ではないことが検出されたことに応じて、受信されたメッセージに従って第２のプライマリセルのインデックスを更新し、第２のプライマリセルへのランダムアクセスを開始し、端末デバイスとネットワークデバイスとの間で、第２のセカンダリセル群のいずれか１つのセカンダリセルと同一のインデックス（複数のインデックス）を有する、第１のセカンダリセル群の１つ以上のセカンダリセル上で、データの送信及び／又は受信を継続する手段を含む。
【０１０８】
ある実施形態において、情報に基づいてプライマリセル変更を実行する手段は、第２のプライマリセルのインデックスが、第１のセカンダリセル群のいずれか１つのセカンダリセルのインデックスと同一であることが検出されたことに応じて、受信されたメッセージに従って第２のプライマリセルのインデックスを更新し、端末デバイスとネットワークデバイスとの間で、第２のプライマリセル及び第２のセカンダリセル群のセカンダリセルのうちのいずれか１つと同一のインデックスを有する、第１のセカンダリセル群の１つ以上のセカンダリセル上で、データの送信及び／又は受信を継続する手段を含む。
【０１０９】
図８は、本開示の実施形態の実装に適したデバイス８００の簡略化されたブロック図８００を示している。デバイス８００が、例えばネットワークデバイス１１０又は端末デバイス１２０の少なくとも一部として実装されうることが理解されよう。
【０１１０】
図示されるように、デバイス８００は、通信手段８３０及び処理手段８５０を備える。処理手段８５０は、データプロセッサ（ＤＰ）８１０と、ＤＰ８１０と接続されたメモリ（ＭＥＭ）８２０とを含む。通信手段８３０は、処理手段８５０内のＤＰ８１０と接続される。ＭＥＭ８２０はプログラム（ＰＲＯＧ）８４０を格納する。通信手段８３０は、他のデバイスとの通信のためのものであり、信号を送信／受信する送受信機として実装されうる。
【０１１１】
デバイス８００がネットワークデバイスとして機能するいくつかの実施形態では、処理手段８５０は、検出ユニットによる検出に基づいて、プライマリセル変更を示すメッセージを設定するように構成され、通信ユニット８３０は、プライマリセル変更を示す当該メッセージを送信するように構成されうる。デバイス８００が端末デバイスとして機能するいくつかの実施形態では、処理手段８５０は、プライマリセル変更の情報を検出するように構成され、通信ユニット８３０は、プライマリセル変更を示すメッセージを受信するように構成されうる。
【０１１２】
ＰＲＯＧ８４０は、関連するＤＰ８１０によって実行されたときに、本明細書において方法２００、３００又は４００を用いて説明したような本開示の実施形態に従ってデバイス８００が動作できるようにするプログラム命令を含むことが想定される。本明細書の実施形態は、デバイスのＤＰ８１０が実行可能なコンピュータソフトウェアによって、又はハードウェアによって、又はソフトウェアとハードウェアの組み合わせによって実装されうる。データプロセッサ８１０及びＭＥＭ８２０の組み合わせは、本開示の種々の実施形態を実装するように構成された処理手段８５０を形成しうる。
【０１１３】
ＭＥＭ８２０は、ローカル技術環境に適した任意のタイプのものであってよく、非限定的な例として、半導体ベースのメモリデバイス、磁気メモリデバイス及びシステム、光学メモリデバイス及びシステム、固定メモリ、並びに着脱式メモリのような、任意の適切なデータストレージ技術を用いて実装されうる。１つのＭＥＭのみがデバイス８００内に示されているが、デバイス８００内で物理的に別個の複数のメモリモジュールが存在してもよい。ＤＰ８１０は、ローカル技術環境に適した任意のタイプのものであってよく、非限定的な例として、汎用コンピュータ、専用コンピュータ、マイクロプロセッサ、デジタルシグナルプロセッサ（ＤＳＰ）及及びマルチコアプロセッサ構成に基づくプロセッサのうちの１つ以上を含みうる。デバイス８００は、メインプロセッサに同期ししているクロックに対して時間的に従属する特定用途向け集積回路チップのような、複数のプロセッサを有してもよい。
【０１１４】
全体として、本開示の種々の実施形態は、ハードウェア若しくは専用回路、ソフトウェア、ロジック、又はそれらの任意の組み合わせで実装されうる。いくつかの態様がハードウェアで実装されうる一方で、他の態様が、コントローラ、マイクロプロセッサ又は他のコンピューティングデバイスによって実行されうるファームウェア又はソフトウェアで実装されてもよい。本開示の実施形態の種々の態様は、ブロック図、フローチャート、又は他のいくつかの図形表現を用いて図示及び説明されているが、本明細書に記載のブロック、装置、システム、技術、又は方法が、非限定的な例として、ハードウェア、ソフトウェア、専用回路若しくはロジック、汎用ハードウェア若しくはコントローラ、又は他のコンピューティングデバイス、又はそれらのいくつかの組み合わせで実装されうることが理解されよう。
【０１１５】
例として、本開示の実施形態は、プログラムモジュールに含まれるもののような、ターゲットの実際の又は仮想的なプロセッサ上のデバイスで実行される、機械実行可能命令の一般的なコンテキストで説明されうる。一般的に、プログラムモジュールは、特定のタスクを実行する又は特定の抽象データタイプを実装する、ルーティン、プログラム、ライブラリ、オブジェクト、クラス、コンポーネント、データ構造等を含む。プログラムモジュールの機能は、種々の実施形態において必要に応じてプログラムモジュール間で結合又は分離されうる。プログラムモジュールのための機械実行可能命令は、ローカルデバイス又は分散デバイス内で実行されうる。分散デバイスにおいては、プログラムモジュールは、ローカル記憶媒体又はリモート記憶媒体の両方に配置されうる。
【０１１６】
本開示の方法を実行するためのプログラムコードは、１つ以上のプログラム言語の任意の組み合わせで記述されうる。これらのプログラムコードは、汎用コンピュータのプロセッサコントローラ、専用コンピュータ、又は他のプログラマブルデータ処理装置に提供されうる。その結果、プログラムコードは、プロセッサ又はコントローラによって実行されたときに、フローチャート及び／又はブロック図で特定された機能／動作を実行させる。プログラムコードは、スタンドアロン型ソフトウェアパッケージとして、マシンで全体が動作してもよいし、マシンで一部が動作してもよいし、一部がマシンで動作して一部がリモートマシンで動作してもよし、リモートマシン若しくはサーバで全体が動作してもよい。
【０１１７】
上記のプログラムコードは、機械読み取り可能媒体上で具体化されてもよく、当該媒体は、命令実行システム、装置又はデバイスによって使用されるか又は関連するプログラムを含む又は格納する有形の媒体でありうる。機械読み取り可能媒体は、機械読み取り可能信号媒体又は機械読み取り可能記憶媒体でありうる。機械読み取り可能媒体は、電気、磁気、光、電磁気、赤外線、若しくは半導体のシステム、装置、若しくはデバイス、又はそれらの任意の適切な組み合わせを含みうるが、それらに限定されない。機械読み取り可能媒体のより具体的な例は、１つ以上の線を有する電気コネクション、ポータブルコンピュータディスケット、ハードディスク、ランダムアクセスメモリ（ＲＡＭ）、リードオンリーメモリ（ＲＯＭ）、消去可能プログラマブルリードオンリーメモリ（ＥＰＲＯＭ又はフラッシュメモリ）、光ファイバ、ポータブルコンパクトディスクリードオンリーメモリ（ＣＤ−ＲＯＭ）、光ストレージデバイス、磁気ストレージデバイス、又はそれらの任意の適切な組み合わせを含むであろう。
【０１１８】
本開示との関連で、デバイスは、コンピュータシステムによって実行される、プログラムモジュールのようなコンピュータシステム実行可能命令の一般的なコンテキストで実行されてもよい。一般的に、プログラムモジュールは、特定のタスクを実行する又は特定の抽象データタイプを実装する、ルーティン、プログラム、オブジェクト、コンポーネント、ロジック、データ構造等を含む。デバイスは、通信ネットワークを通じて接続されたリモート処理デバイスによってタスクが実行される、分散クラウドコンピューティング環境で実施されてもよい。分散クラウドコンピューティング環境では、プログラムモジュールは、メモリストレージデバイスを含む、ローカル及びリモートコンピュータシステムの記憶媒体の両方に配置されうる。
【０１１９】
更に、特定の順序で動作が図示されているが、所望の結果を達成するために、そのような動作が、示された特定の順序又は逐次的な順序で実行されること、又は全ての図示された順序が実行されることを必要とするものと理解されるべきではない。特定の環境では、マルチタスク及び並列処理が有利でありうる。同様に、上記の説明にはいくつかの特定の実装の詳細が含まれているが、これらは、本開示の範囲を限定するものと解釈されるべきではなく、むしろ、特定の実施形態に固有の特徴の説明と解釈されるべきである。個別の実施形態との文脈で記載されている特定の特徴は、単一の実施形態で組み合わせて実装されてもよい。逆に、単一の実施形態の文脈で記載されている種々の特徴が、複数の実施形態において個別に又は任意の適切なサブコンビネーションで実装されてもよい。
【０１２０】
本開示は、構造的な特徴及び／又は方法的な動作に特有の言語で記載されているが、添付の請求項に既定されている本開示が上述の具体的な特徴又は動作に必ずしも限定されないことが理解されるべきである。むしろ、上述の具体的な特徴又は動作は請求項の実装の一例の形式として開示される。
【図１】
2019523594.tif 000003
【図２】
2019523594.tif 000004
【図３】
2019523594.tif 000005
【図４】
2019523594.tif 000006
【図５】
2019523594.tif 000007
【図６】
2019523594.tif 000008
【図７】
2019523594.tif 000009
【図８】
2019523594.tif 000010
【手続補正書】
【提出日】平成30年5月28日(2018.5.28)
【手続補正１】
【補正対象書類名】特許請求の範囲
【補正対象項目名】全文
【補正方法】変更
【補正の内容】
【特許請求の範囲】
【請求項１】
ネットワークデバイスにおいて実行される方法（200, 300）であって、
端末デバイスについてのプライマリセル変更に対して、レイヤ２コンテキストが保持されるかを検出すること（210）と、
前記検出に基づいて、前記プライマリセル変更を示すメッセージを設定すること（220）と、
前記メッセージを前記端末デバイスへ送信すること（230）と、
を含む方法。
【請求項２】
請求項１に記載の方法であって、
端末デバイスについてのプライマリセル変更に対してレイヤ２コンテキストが保持されるかを検出することは、第１のプライマリセルと比べて、第２のプライマリセルに対応する前記レイヤ２コンテキストの一部又は全部が同じものを保持するかを検出することであり、
前記端末デバイスは、前記第１のプライマリセル及び第１のセカンダリセル群によるサービスを受けており、前記プライマリセル変更の後に、前記第２のプライマリセル及び第２のセカンダリセル群によるサービスを受ける、方法。
【請求項３】
請求項２に記載の方法であって、更に、
レイヤ２コンテキストの全部は保持されないことが検出されたことに応じて、
新たなセキュリティキーの導出を前記端末デバイスに要求するためのセキュリティ情報エレメントを少なくとも含めることによって前記メッセージを設定すること（330）を含む、方法。
【請求項４】
請求項２に記載の方法であって、更に、
前記第１のプライマリセルと比べて、前記第２のプライマリセルに対応する、ＰＤＣＰエンティティを除く前記レイヤ２コンテキストの全部は保持されないことが検出されたことに応じて、
ＲＬＣ／ＭＡＣエンティティの再設定をトリガするための情報エレメントを少なくとも含めることによって前記メッセージを設定すること（350）を含む、方法。
【請求項５】
請求項２に記載の方法であって、更に、
レイヤ２コンテキストの全部が保持され、かつ、前記第２のプライマリセルのインデックスが、前記第１のセカンダリセル群のいずれのセカンダリセルとも同一ではないことが検出されたことに応じて、
前記第２のプライマリセル及び前記第２のセカンダリセル群のＩＤ情報を少なくとも含めることによって前記メッセージを設定すること（370）を含む、方法。
【請求項６】
請求項１から５のいずれか１項に記載の方法であって、
前記メッセージは、ＭＡＣメッセージ又はＲＲＣメッセージで送信される、方法。
【請求項７】
請求項６に記載の方法であって、
前記ＭＡＣメッセージは、論理チャネルＩＤによって識別されるＭＡＣ制御エレメントを含む、方法。
【請求項８】
請求項６に記載の方法であって、
前記ＭＡＣメッセージは、第２のプライマリセルのインデックスを示すＭＡＣ制御エレメントを含む、方法。
【請求項９】
請求項７又は８に記載の方法であって、
前記制御エレメントは、前記ＭＡＣ制御エレメントの送信に対応するコンポーネントセルの１つからＨＡＲＱ ＡＣＫを受信するまで当該ＭＡＣ制御エレメントを送信し続ける前記ネットワークデバイスによって制御される、既存の全てのコンポーネントセルを介して送信される、方法。
【請求項１０】
ネットワークデバイスにおいて実行される方法（200, 300）であって、
端末デバイスについてのプライマリセル変更に対して、１つ以上のサービングセカンダリセルが残るかを検出すること（210）と、
前記検出に基づいて、前記プライマリセル変更を示すメッセージを設定すること（220）と、
前記メッセージを前記端末デバイスへ送信すること（230）と、
を含む方法。
【請求項１１】
請求項１０記載の方法であって、
端末デバイスについてのプライマリセル変更に対して１つ以上のサービングセカンダリセルが残るかを検出することは、前記第２のプライマリセルのインデックスが、第１のセカンダリセル群の１つのセカンダリセルと同一であるかを検出することであり、
前記端末デバイスは、前記第１のプライマリセル及び前記第１のセカンダリセル群によるサービスを受けており、前記プライマリセル変更の後に、前記第２のプライマリセル及び第２のセカンダリセル群によるサービスを受ける、方法。
【請求項１２】
請求項１１に記載の方法であって、
前記第２のプライマリセルの前記インデックスが、前記第１のセカンダリセル群のいずれのセカンダリセルとも同一ではなく、かつ、レイヤ２コンテキストの全部が保持されることが検出されたことに応じて、
前記第２のプライマリセル及び前記第２のセカンダリセル群のＩＤ情報を少なくとも含めることによって前記メッセージを設定すること（370）を含む、方法。
【請求項１３】
請求項１１に記載の方法であって、
前記第２のプライマリセルの前記インデックスが、前記第１のセカンダリセル群のいずれかのセカンダリセルと同一であることが検出されたことに応じて、
前記第２のプライマリセルのＩＤ情報を少なくとも含めることによって前記メッセージを設定すること（380）を含む、方法。
【請求項１４】
請求項１０から１３のいずれか１項に記載の方法であって、
前記メッセージは、ＭＡＣメッセージ又はＲＲＣメッセージで送信される、方法。
【請求項１５】
請求項１４に記載の方法であって、
前記ＭＡＣメッセージは、論理チャネルＩＤによって識別されるＭＡＣ制御エレメントを含む、方法。
【請求項１６】
請求項１４に記載の方法であって、
前記ＭＡＣメッセージは、第２のプライマリセルのインデックスを示すＭＡＣ制御エレメントを含む、方法。
【請求項１７】
請求項１５又は１６に記載の方法であって、
前記制御エレメントは、前記ＭＡＣ制御エレメントの送信に対応するコンポーネントセルの１つからＨＡＲＱ ＡＣＫを受信するまで当該ＭＡＣ制御エレメントを送信し続ける前記ネットワークデバイスによって制御される、既存の全てのコンポーネントセルを介して送信される、方法。
【請求項１８】
ネットワークデバイス（600）であって、
端末デバイスについてのプライマリセル変更に対して、レイヤ２コンテキストが保持されるかを検出するように構成された検出ユニット（610）と、
前記検出ユニットによる前記検出に基づいて、プライマリセル変更を示すメッセージを設定するように構成された設定ユニット（620）と、
前記メッセージを前記端末デバイスへ送信するように構成された送信ユニット（630）と、
を備えるネットワークデバイス。
【請求項１９】
請求項１８に記載のネットワークデバイス（600）であって、
前記検出ユニット（610）は更に、第１のプライマリセルと比べて、第２のプライマリセルに対応するレイヤ２コンテキストの一部又は全部が同じものを保持するかを検出するように構成され、
前記端末デバイスは、前記第１のプライマリセル及び第１のセカンダリセル群によるサービスを受けており、前記プライマリセル変更の後に、前記第２のプライマリセル及び第２のセカンダリセル群によるサービスを受ける、ネットワークデバイス。
【請求項２０】
請求項１９に記載のネットワークデバイス（600）であって、
前記設定ユニット（620）は更に、前記レイヤ２コンテキストの全部は保持されないことが検出されたことに応じて、新たなセキュリティキーの導出を前記端末デバイスに要求するためのセキュリティ情報エレメントを少なくとも含めることによって前記メッセージを設定するように構成される、ネットワークデバイス。
【請求項２１】
請求項１９に記載のネットワークデバイス（600）であって、
前記設定ユニット（620）は更に、前記第１のプライマリセルと比べて、前記第２のプライマリセルに対応する、ＰＤＣＰエンティティを除く前記レイヤ２コンテキストの全部は保持されないことが検出されたことに応じて、ＲＬＣ／ＭＡＣエンティティの再設定をトリガするための情報エレメントを少なくとも含めることによって前記メッセージを設定するように構成される、ネットワークデバイス。
【請求項２２】
請求項１９に記載のネットワークデバイスであって、
前記設定ユニット（620）は更に、レイヤ２コンテキストの全部が保持され、かつ、前記第２のプライマリセルのインデックスが、前記第１のセカンダリセル群のいずれのセカンダリセルとも同一ではないことが検出されたことに応じて、前記第２のセカンダリセル群のＩＤ情報を少なくとも含めることによって前記メッセージを設定するように構成される、ネットワークデバイス。
【請求項２３】
ネットワークデバイス（600）であって、
端末デバイスについてのプライマリセル変更に対して、１つ以上のサービングセカンダリセルが残るかを検出するように構成された検出ユニット（610）と、
前記検出ユニットによる前記検出に基づいて、プライマリセル変更を示すメッセージを設定するように構成された設定ユニット（620）と、
前記メッセージを前記端末デバイスへ送信するように構成された送信ユニット（630）と、
を備えるネットワークデバイス。
【請求項２４】
請求項２３に記載のネットワークデバイス（600）であって、
前記検出ユニット（610）は更に、前記第２のプライマリセルのインデックスが、第１のセカンダリセル群の１つのセカンダリセルと同一であるかを検出するように構成され、
前記端末デバイスは、前記第１のプライマリセル及び前記第１のセカンダリセル群によるサービスを受けており、前記プライマリセル変更の後に、前記第２のプライマリセル及び第２のセカンダリセル群によるサービスを受ける、ネットワークデバイス。
【請求項２５】
請求項２４に記載のネットワークデバイスであって、
前記設定ユニット（620）は更に、前記第２のプライマリセルの前記インデックスが、前記第１のセカンダリセル群のいずれのセカンダリセルとも同一ではなく、かつ、レイヤ２コンテキストの全部が保持されることが検出されたことに応じて、前記第２のセカンダリセル群のＩＤ情報を少なくとも含めることによって前記メッセージを設定するように構成される、ネットワークデバイス。
【請求項２６】
請求項２４に記載のネットワークデバイス（600）であって、
前記設定ユニット（620）は更に、前記第２のプライマリセルの前記インデックスが、前記第１のセカンダリセル群の１つのセカンダリセルと同一であることが検出されたことに応じて、前記第２のプライマリセルのＩＤ情報を少なくとも含めることによって前記メッセージを設定するように構成される、ネットワークデバイス。
【請求項２７】
端末デバイスにおいて実行される方法（400, 500）であって、
ネットワークデバイスから送信されたメッセージであって、前記端末デバイスについてのプライマリセル変更に対して、レイヤ２コンテキストが保持されるかを検出することによって設定された前記メッセージを受信すること（410）と、
前記プライマリセル変更の情報を、前記受信されたメッセージから検出すること（420）と、
前記情報に基づいて前記プライマリセル変更を実行すること（430）と、
を含む方法。
【請求項２８】
請求項２７に記載の方法であって、
前記端末デバイスについてのプライマリセル変更に対してレイヤ２コンテキストが保持されるかを検出することは、第１のプライマリセルと比べて、第２のプライマリセルに対応するレイヤ２コンテキストの一部又は全部が同じものを保持するかを検出することであり
前記端末デバイスは、前記第１のプライマリセル及び第１のセカンダリセル群によるサービスを受けており、前記プライマリセル変更の後に、前記第２のプライマリセル及び第２のセカンダリセル群によるサービスを受ける、方法。
【請求項２９】
請求項２８に記載の方法であって、更に、
前記受信されたメッセージに、新たなセキュリティキーの導出のための情報エレメントが含まれることが検出されたことに応じて、
前記受信されたメッセージに従って前記第２のプライマリセルのインデックスを更新すること（530）と、
前記新たなセキュリティキーを導出することと、
ＭＡＣをリセットすることと、
ＰＤＣＰ／ＲＬＣを再確立することと、
前記第２のプライマリセルへのランダムアクセスを開始することと、を含む方法。
【請求項３０】
請求項２８に記載の方法であって、更に、
前記受信されたメッセージに、ＲＬＣ／ＭＡＣの再設定をトリガするための情報エレメントが含まれることが検出されたことに応じて、
前記受信されたメッセージに従って前記第２のプライマリセルのインデックスを更新すること（550）と、
ＭＡＣをリセットすることと、
ＲＬＣを再確立することと、
前記第２のプライマリセルへのランダムアクセスを開始することと、を含む方法。
【請求項３１】
請求項２８に記載の方法であって、更に、
前記受信されたメッセージに、新たなセキュリティキーの導出のための情報エレメントもＲＬＣ／ＭＡＣの再設定をトリガするための情報エレメントも含まれず、かつ、当該メッセージに含まれる、前記第２のプライマリセル及び前記第２のセカンダリセル群のセカンダリセルのいずれのインデックスも、前記第１のプライマリセル及び前記第１のセカンダリセル群のセカンダリセルと同一ではないことが検出されたことに応じて、
前記受信されたメッセージに従って前記第２のプライマリセルのインデックスを更新すること（570）と、
前記第２のプライマリセルへのランダムアクセスを開始することと、を含む方法。
【請求項３２】
端末デバイスにおいて実行される方法（400, 500）であって、
ネットワークデバイスから送信されたメッセージであって、前記端末デバイスについてのプライマリセル変更に対して、１つ以上のサービングセカンダリセルが残るかを検出することによって設定された前記メッセージを受信すること（410）と、
前記プライマリセル変更の情報を、前記受信されたメッセージから検出すること（420）と、
前記情報に基づいて前記プライマリセル変更を実行すること（430）と、
を含む方法。
【請求項３３】
請求項３２に記載の方法であって、
端末デバイスについてのプライマリセル変更に対して１つ以上のサービングセカンダリセルが残るかを検出することは、前記第２のプライマリセルのインデックスが、第１のセカンダリセル群の１つのセカンダリセルと同一であるかを検出することであり、
前記メッセージに含まれる、前記第２のプライマリセル及び第２のセカンダリセル群のセカンダリセルのうちの１つ以上の前記インデックスは、前記第１のプライマリセル及び第１のセカンダリセル群のセカンダリセルと同一であり、
前記端末デバイスは、前記第１のプライマリセル及び前記第１のセカンダリセル群によるサービスを受けており、前記プライマリセル変更の後に、前記第２のプライマリセル及び第２のセカンダリセル群によるサービスを受ける、方法。
【請求項３４】
請求項３３に記載の方法であって、更に、
前記メッセージに含まれる、前記第２のプライマリセル及び前記第２のセカンダリセル群のセカンダリセルのいずれの前記インデックスも、前記第１のプライマリセル及び前記第１のセカンダリセル群のセカンダリセルと同一ではなく、かつ、前記受信されたメッセージに、新たなセキュリティキーの導出のための情報エレメントもＲＬＣ／ＭＡＣの再設定をトリガするための情報エレメントも含まれないことが検出されたことに応じて、
前記受信されたメッセージに従って前記第２のプライマリセルのインデックスを更新すること（570）と、
前記第２のプライマリセルへのランダムアクセスを開始することと、を含む方法。
【請求項３５】
請求項３３に記載の方法であって、更に、
前記メッセージに含まれる、前記第２のプライマリセル及び前記第２のセカンダリセル群のセカンダリセルのうちの１つ以上の前記インデックスが、前記第１のプライマリセル及び前記第１のセカンダリセル群のセカンダリセルと同一であり、かつ、前記第２のプライマリセルの前記インデックスが、前記第１のセカンダリセル群の前記セカンダリセルのいずれのインデックスとも同一ではないことに応じて、
前記受信されたメッセージに従って前記第２のプライマリセルのインデックスを更新すること（590）と、
前記第２のプライマリセルへのランダムアクセスを開始することと、
前記端末デバイスと前記ネットワークデバイスとの間で、前記第２のセカンダリセル群のいずれか１つのセカンダリセルと同一のインデックスを有する、前記第１のセカンダリセル群のうちの前記１つ以上のセカンダリセル上で、データの送信及び／又は受信を継続することと、を含む方法。
【請求項３６】
請求項３３に記載の方法であって、更に、
前記第２のプライマリセルのインデックスが、前記第１のセカンダリセル群の前記セカンダリセルのいずれか１つと同一であることが検出されたことに応じて、
前記受信されたメッセージに従って前記第２のプライマリセルのインデックスを更新すること（591）と、
前記端末デバイスと前記ネットワークデバイスとの間で、前記第２のプライマリセル及び前記第２のセカンダリセル群のセカンダリセルのいずれか１つと同一のインデックスを有する、前記第１のセカンダリセル群のうちの前記１つ以上のセカンダリセル上で、データの送信及び／又は受信を継続することと、を含む方法。
【請求項３７】
端末デバイス（700）であって、
ネットワークデバイスから送信されたメッセージであって、前記端末デバイスについてのプライマリセル変更に対して、レイヤ２コンテキストが保持されるかを検出することによって設定された前記メッセージを受信するように構成された受信ユニット（710）と、
前記プライマリセル変更の情報を、前記受信されたメッセージから取得するように構成された取得ユニット（720）と、
前記情報に基づいて前記プライマリセル変更を実行するように構成された実行ユニット（730）と、
を備える端末デバイス。
【請求項３８】
請求項３７に記載の端末デバイス（700）であって、
前記端末デバイスについてのプライマリセル変更に対してレイヤ２コンテキストが保持されるかを検出することは、第１のプライマリセルと比べて、第２のプライマリセルに対応するレイヤ２コンテキストの一部又は全部が同じものを保持するかを検出することであり、
前記端末デバイスは、前記第１のプライマリセル及び前記第１のセカンダリセル群によるサービスを受けており、前記プライマリセル変更の後に、前記第２のプライマリセル及び第２のセカンダリセル群によるサービスを受ける、端末デバイス。
【請求項３９】
請求項３８に記載の端末デバイス（700）であって、
判定ユニット（740）を更に備え、当該判定ユニットは、
前記受信されたメッセージに、新たなセキュリティキーの導出のための情報エレメントが含まれるかを判定する、又は
前記受信されたメッセージに、ＲＬＣ／ＭＡＣエンティティの再設定をトリガするための情報エレメントが含まれるかを判定する、又は
前記メッセージに含まれる、前記第２のプライマリセル及び前記第２のセカンダリセル群のセカンダリセルのうちのいずれかの前記インデックスが、前記第１のプライマリセル及び前記第１のセカンダリセル群のセカンダリセルと同一であるかを判定する、又は
前記メッセージに含まれる、前記第２のプライマリセルの前記インデックスが、前記第１のセカンダリセル群のいずれか１つのインデックスと同一であるかを判定する、ように構成される、端末デバイス。
【請求項４０】
請求項３８に記載の端末デバイス（700）であって、
前記実行ユニット（730）は更に、前記受信されたメッセージが、新たなセキュリティキーの導出のための情報エレメントを含むことが検出されたことに応じて、第２のセキュリティキーを導出し、ＭＡＣをリセットし、ＰＤＣＰ／ＲＬＣを再確立し、前記第２のプライマリセルへのランダムアクセスを開始するように構成される、端末デバイス。
【請求項４１】
請求項３８に記載の端末デバイス（700）であって、
前記実行ユニット（730）は更に、前記受信されたメッセージが、ＲＬＣ／ＭＡＣの再設定をトリガするための情報エレメントを含むことが検出されたことに応じて、前記受信されたメッセージに従って前記第２のプライマリセルのインデックスを更新し、ＭＡＣをリセットし、ＲＬＣを再確立し、前記第２のプライマリセルへのランダムアクセスを開始するように構成される、端末デバイス。
【請求項４２】
請求項３８に記載の端末デバイス（700）であって、
前記実行ユニット（730）は更に、前記受信されたメッセージが、新たなセキュリティキーの導出のための又はＲＬＣ／ＭＡＣの再設定をトリガするための情報エレメントを含んでおらず、当該メッセージに含まれる、前記第２のプライマリセル及び前記第２のセカンダリセル群のいずれのインデックスも、前記第１のプライマリセル及び前記第１のセカンダリセル群と同一ではないことに応じて、前記受信されたメッセージに従って前記第２のプライマリセルのインデックスを更新し、前記第２のプライマリセルへのランダムアクセスを開始するように構成される、端末デバイス。
【請求項４３】
端末デバイス（700）であって、
ネットワークデバイスから送信されたメッセージであって、前記端末デバイスについてのプライマリセル変更に対して、１つ以上のサービングセカンダリセルが残るかを検出することによって設定された前記メッセージを受信するように構成された受信ユニット（710）と、
前記プライマリセル変更の情報を、前記受信されたメッセージから取得するように構成された取得ユニット（720）と、
前記情報に基づいて前記プライマリセル変更を実行するように構成された実行ユニット（730）と、
を備える端末デバイス。
【請求項４４】
請求項４３に記載の端末デバイス（700）であって、
端末デバイスについてのプライマリセル変更に対して１つ以上のサービングセカンダリセルが残るかを検出することは、前記第２のプライマリセルのインデックスが、第１のセカンダリセル群の１つのセカンダリセルと同一であるかを検出することであり、又は 
前記メッセージに含まれる、前記第２のプライマリセル及び第２のセカンダリセル群のセカンダリセルのうちの１つ以上の前記インデックスは、前記第１のプライマリセル及び第１のセカンダリセル群のセカンダリセルと同一であり、
前記端末デバイスは、前記第１のプライマリセル及び前記第１のセカンダリセル群によるサービスを受けており、前記プライマリセル変更の後に、前記第２のプライマリセル及び第２のセカンダリセル群によるサービスを受ける、端末デバイス。
【請求項４５】
請求項４４に記載の端末デバイス（700）であって、
前記実行ユニット（730）は更に、前記メッセージに含まれる、前記第２のプライマリセル及び前記第２のセカンダリセル群のいずれの前記インデックスも、前記第１のプライマリセル及び前記第１のセカンダリセル群と同一ではなく、前記受信されたメッセージが、新たなセキュリティキーの導出のための又はＲＬＣ／ＭＡＣの再設定をトリガするための情報エレメントを含んでいないことに応じて、前記受信されたメッセージに従って前記第２のプライマリセルのインデックスを更新し、前記第２のプライマリセルへのランダムアクセスを開始するように構成される、端末デバイス。
【請求項４６】
請求項４４に記載の端末デバイス（700）であって、
前記実行ユニット（730）は更に、前記メッセージに含まれる、前記第２のプライマリセル及び前記第２のセカンダリセル群のセカンダリセルの１つ以上の前記インデックスが、前記第１のプライマリセル及び前記第１のセカンダリセル群のセカンダリセルと同一であり、前記第２のプライマリセルの前記インデックスが、前記第１のセカンダリセル群のセカンダリセルのいずれのインデックスとも同一ではないことが検出されたことに応じて、前記受信されたメッセージに従って前記第２のプライマリセルのインデックスを更新し、前記第２のプライマリセルへのランダムアクセスを開始し、前記端末デバイスと前記ネットワークデバイスとの間で、前記第２のセカンダリセル群のいずれか１つのセカンダリセルと同一のインデックスを有する、前記第１のセカンダリセル群の１つ以上のセカンダリセル上で、データの送信及び／又は受信を継続するように構成される、端末デバイス。
【請求項４７】
請求項４４に記載の端末デバイス（700）であって、
前記実行ユニット（730）は更に、前記第２のプライマリセルの前記インデックスが、前記第１のセカンダリセル群のいずれか１つのセカンダリセルのインデックスと同一であることが検出されたことに応じて、前記受信されたメッセージに従って前記第２のプライマリセルのインデックスを更新し、前記端末デバイスと前記ネットワークデバイスとの間で、前記第２のプライマリセル及び前記第２のセカンダリセル群のセカンダリセルのうちのいずれか１つと同一のインデックスを有する、前記第１のセカンダリセル群の１つ以上のセカンダリセル上で、データの送信及び／又は受信を継続するように構成される、端末デバイス。
【請求項４８】
ネットワークデバイス（800）であって、
プロセッサ（810）及び記憶媒体（820）を備え、前記記憶媒体は、前記プロセッサ（810）で実行されたときに前記ネットワークデバイスに請求項１から１７のいずれか１項に記載の方法を実行させる命令（840）を含む、ネットワークデバイス。
【請求項４９】
端末デバイス（800）であって、
プロセッサ（810）及び記憶媒体（820）を備え、前記記憶媒体は、前記プロセッサ（810）で実行されたときに前記ネットワークデバイスに請求項２７から３６のいずれか１項に記載の方法を実行させる命令（840）を含む、端末デバイス。
【請求項５０】
コンピュータプログラム製品（840）であって、
コンピュータ読み取り可能記憶媒体（820）に有形に格納され、ネットワークデバイスのプロセッサ（810）で実行されたときに前記ネットワークデバイスに請求項１から１７のいずれか１項に記載の方法を実行させる命令を含む、コンピュータプログラム製品。
【請求項５１】
コンピュータプログラム製品（840）であって、
コンピュータ読み取り可能記憶媒体（820）に有形に格納され、端末デバイスのプロセッサ（810）で実行されたときに前記端末デバイスに請求項２７から３６のいずれか１項に記載の方法を実行させる命令を含む、コンピュータプログラム製品。
【手続補正書】
【提出日】平成31年3月18日(2019.3.18)
【手続補正１】
【補正対象書類名】特許請求の範囲
【補正対象項目名】全文
【補正方法】変更
【補正の内容】
【特許請求の範囲】
【請求項１】
ネットワークデバイスにおいて実行される方法（200, 300）であって、
端末デバイスについてのプライマリセル変更に対して、レイヤ２コンテキストが保持されるか及び／又は１つ以上のサービングセカンダリセルが残るかを検出すること（210）と、
前記検出に基づいて、前記プライマリセル変更を示すメッセージを設定すること（220）と、
前記メッセージを前記端末デバイスへ送信すること（230）と、
を含む方法。
【請求項２】
請求項１に記載の方法であって、
端末デバイスについてのプライマリセル変更に対してレイヤ２コンテキストが保持されるかを検出することは、第１のプライマリセルと比べて、第２のプライマリセルに対応する前記レイヤ２コンテキストの一部又は全部が同じものを保持するかを検出することであり、及び／又は
端末デバイスについてのプライマリセル変更に対して１つ以上のサービングセカンダリセルが残るかを検出することは、前記第２のプライマリセルのインデックスが、第１のセカンダリセル群の１つのセカンダリセルと同一であるかを検出することであり、
前記端末デバイスは、前記第１のプライマリセル及び前記第１のセカンダリセル群によるサービスを受けており、前記プライマリセル変更の後に、前記第２のプライマリセル及び第２のセカンダリセル群によるサービスを受ける、方法。
【請求項３】
請求項２に記載の方法であって、更に、
レイヤ２コンテキストの全部は保持されないことが検出されたことに応じて、
新たなセキュリティキーの導出を前記端末デバイスに要求するためのセキュリティ情報エレメントを少なくとも含めることによって前記メッセージを設定すること（330）を含む、方法。
【請求項４】
請求項２に記載の方法であって、更に、
前記第１のプライマリセルと比べて、前記第２のプライマリセルに対応する、ＰＤＣＰエンティティを除く前記レイヤ２コンテキストの全部は保持されないことが検出されたことに応じて、
ＲＬＣ／ＭＡＣエンティティの再設定をトリガするための情報エレメントを少なくとも含めることによって前記メッセージを設定すること（350）を含む、方法。
【請求項５】
請求項２に記載の方法であって、更に、
レイヤ２コンテキストの全部が保持され、かつ、前記第２のプライマリセルの前記インデックスが、前記第１のセカンダリセル群のいずれのセカンダリセルとも同一ではないことが検出されたことに応じて、
前記第２のプライマリセル及び前記第２のセカンダリセル群のＩＤ情報を少なくとも含めることによって前記メッセージを設定すること（370）を含む、方法。
【請求項６】
請求項２に記載の方法であって、更に、
前記第２のプライマリセルの前記インデックスが、前記第１のセカンダリセル群のいずれかのセカンダリセルと同一であることが検出されたことに応じて、
前記第２のプライマリセルのＩＤ情報を少なくとも含めることによって前記メッセージを設定すること（380）を含む、方法。
【請求項７】
請求項１から６のいずれか１項に記載の方法であって、
前記メッセージは、ＭＡＣメッセージ又はＲＲＣメッセージで送信される、方法。
【請求項８】
請求項７に記載の方法であって、
前記ＭＡＣメッセージは、論理チャネルＩＤによって識別されるＭＡＣ制御エレメントを含む、方法。
【請求項９】
請求項７に記載の方法であって、
前記ＭＡＣメッセージは、第２のプライマリセルのインデックスを示すＭＡＣ制御エレメントを含む、方法。
【請求項１０】
請求項８又は９に記載の方法であって、
前記ＭＡＣ制御エレメントは、前記ＭＡＣ制御エレメントの送信に対応するコンポーネントセルの１つからＨＡＲＱ ＡＣＫを受信するまで当該ＭＡＣ制御エレメントを送信し続ける前記ネットワークデバイスによって制御される、既存の全てのコンポーネントセルを介して送信される、方法。
【請求項１１】
端末デバイスにおいて実行される方法（400, 500）であって、
ネットワークデバイスから送信されたメッセージであって、前記端末デバイスについてのプライマリセル変更に対して、レイヤ２コンテキストが保持されるか及び／又は１つ以上のサービングセカンダリセルが残るかを検出することによって設定された前記メッセージを受信すること（410）と、
前記プライマリセル変更の情報を、前記受信されたメッセージから検出すること（420）と、
前記情報に基づいて前記プライマリセル変更を実行すること（430）と、
を含む方法。
【請求項１２】
請求項１１に記載の方法であって、
前記端末デバイスについてのプライマリセル変更に対してレイヤ２コンテキストが保持されるかを検出することは、第１のプライマリセルと比べて、第２のプライマリセルに対応するレイヤ２コンテキストの一部又は全部が同じものを保持するかを検出することであり、及び／又は
端末デバイスについてのプライマリセル変更に対して１つ以上のサービングセカンダリセルが残るかを検出することは、前記第２のプライマリセルのインデックスが、第１のセカンダリセル群の１つのセカンダリセルと同一であるかを検出することであり、又は
前記メッセージに含まれる、前記第２のプライマリセル及び第２のセカンダリセル群のセカンダリセルのうちの１つ以上の前記インデックスは、前記第１のプライマリセル及び第１のセカンダリセル群のセカンダリセルと同一であり、
前記端末デバイスは、前記第１のプライマリセル及び前記第１のセカンダリセル群によるサービスを受けており、前記プライマリセル変更の後に、前記第２のプライマリセル及び前記第２のセカンダリセル群によるサービスを受ける、方法。
【請求項１３】
請求項１２に記載の方法であって、更に、
前記受信されたメッセージに、新たなセキュリティキーの導出のための情報エレメントが含まれることが検出されたことに応じて、
前記受信されたメッセージに従って前記第２のプライマリセルのインデックスを更新すること（530）と、
前記新たなセキュリティキーを導出することと、
ＭＡＣをリセットすることと、
ＰＤＣＰ／ＲＬＣを再確立することと、
前記第２のプライマリセルへのランダムアクセスを開始することと、を含む方法。
【請求項１４】
請求項１２に記載の方法であって、更に、
前記受信されたメッセージに、ＲＬＣ／ＭＡＣの再設定をトリガするための情報エレメントが含まれることが検出されたことに応じて、
前記受信されたメッセージに従って前記第２のプライマリセルのインデックスを更新すること（550）と、
ＭＡＣをリセットすることと、
ＲＬＣを再確立することと、
前記第２のプライマリセルへのランダムアクセスを開始することと、を含む方法。
【請求項１５】
請求項１２に記載の方法であって、更に、
前記受信されたメッセージに、新たなセキュリティキーの導出のための情報エレメントもＲＬＣ／ＭＡＣの再設定をトリガするための情報エレメントも含まれず、かつ、当該メッセージに含まれる、前記第２のプライマリセル及び前記第２のセカンダリセル群のセカンダリセルのいずれの前記インデックスも、前記第１のプライマリセル及び前記第１のセカンダリセル群のセカンダリセルと同一ではないことが検出されたことに応じて、
前記受信されたメッセージに従って前記第２のプライマリセルのインデックスを更新すること（570）と、
前記第２のプライマリセルへのランダムアクセスを開始することと、を含む方法。
【請求項１６】
請求項１２に記載の方法であって、更に、
前記メッセージに含まれる、前記第２のプライマリセル及び前記第２のセカンダリセル群のセカンダリセルのうちの１つ以上の前記インデックスが、前記第１のプライマリセル及び前記第１のセカンダリセル群のセカンダリセルと同一であり、かつ、前記第２のプライマリセルの前記インデックスが、前記第１のセカンダリセル群の前記セカンダリセルのいずれのインデックスとも同一ではないことに応じて、
前記受信されたメッセージに従って前記第２のプライマリセルのインデックスを更新すること（590）と、
前記第２のプライマリセルへのランダムアクセスを開始することと、
前記端末デバイスと前記ネットワークデバイスとの間で、前記第２のセカンダリセル群のいずれか１つのセカンダリセルと同一のインデックスを有する、前記第１のセカンダリセル群のうちの前記１つ以上のセカンダリセル上で、データの送信及び／又は受信を継続することと、を含む方法。
【請求項１７】
請求項１２に記載の方法であって、更に、
前記第２のプライマリセルのインデックスが、前記第１のセカンダリセル群の前記セカンダリセルのいずれか１つと同一であることが検出されたことに応じて、
前記受信されたメッセージに従って前記第２のプライマリセルを更新すること（591）と、
前記端末デバイスと前記ネットワークデバイスとの間で、前記第２のプライマリセル及び前記第２のセカンダリセル群のセカンダリセルのいずれか１つと同一のインデックスを有する、前記第１のセカンダリセル群のうちの前記１つ以上のセカンダリセル上で、データの送信及び／又は受信を継続することと、を含む方法。
【請求項１８】
ネットワークデバイスであって、
プロセッサ（810）及び記憶媒体（820）を備え、前記記憶媒体は、前記プロセッサ（810）で実行されたときに前記ネットワークデバイスに請求項１から１０のいずれか１項に記載の方法を実行させる命令（840）を含む、ネットワークデバイス。
【請求項１９】
端末デバイスであって、
プロセッサ（810）及び記憶媒体（820）を備え、前記記憶媒体は、前記プロセッサ（810）で実行されたときに前記ネットワークデバイスに請求項１１から１７のいずれか１項に記載の方法を実行させる命令（840）を含む、端末デバイス。
【国際調査報告】
2019523594.tif 000011
2019523594.tif 000012